(57)【特許請求の範囲】
【請求項１】
（ａ）冷媒を通して循環させるための第１の膨張コイルと、冷却溶液を通して循環させるための、入口および出口を有する第２の膨張コイルとを有する熱交換器と；
（ｂ）溶液が通って循環するときに溶液を冷却するための、入口および出口を有する冷却ユニットであって、ここで入口が上記熱交換器の第１の膨張コイルと流体連通している冷却ユニットと；
（ｃ）溶液を貯蔵するための、入口および出口を有するリザーバであって、ここで入口が冷却ユニットの出口と流体連通して配置されるリザーバと；
（ｄ）リザーバから熱交換器の第２の膨張コイルの入口に貯蔵溶液を戻すためのリターンラインであって、リザーバの第１の出口と流体連通し、そして熱交換器の第２の膨張コイルの入口と流体連通して配置されるリターンラインと；
（ｅ）リザーバを迂回させ、冷却ユニットの出口から熱交換器の第２の膨張コイルの入口に直接溶液を配送するための、冷却ユニットの出口とポンプ手段の入口との間に配置されたバイパスラインと；
（ｆ）冷却ユニットの出口とポンプ手段の入口との間のバイパスラインに配置された第１のバルブであって、ここで、冷却すべき本体中の温度が既定の温度より高いときに第１のバルブが開いて冷却ユニットの出口から熱交換器の第２の膨張コイルの入口に直接溶液を配送し、それによってリザーバを迂回させる第１のバルブと；
（ｇ）冷却ユニットの出口とリザーバの入口との間に配置された連結ラインと、連結ラインに配置された第２のバルブであって、ここで、冷却すべき本体中の温度が既定の温度より高いときに第２のバルブが閉じ、第１のバルブが閉じたときに第２のバルブが開いて溶液をリザーバの入口に流入させる第２のバルブと、
を含む、冷却すべき本体のエアコンシステムにおいて使用するための二次冷却ループシステム。
【請求項２】
（ａ）冷媒を通して循環させるための第１の膨張コイルと、冷却溶液を通して循環させるための第２の膨張コイルとを有する熱交換器手段と；
（ｂ）溶液が通って循環するときに溶液を冷却するための、入口および出口を有する冷却ユニット手段であって、ここで入口が熱交換器手段の第２の膨張コイルと流体連通している、冷却すべき自動車の客室の近傍に配置されている冷却ユニット手段と；
（ｃ）溶液を貯蔵するための、入口および出口を有するリザーバ手段であって、ここで入口が冷却ユニット手段の出口と流体連通して配置されるリザーバ手段と；
（ｄ）リザーバ手段から熱交換器手段に戻って貯蔵溶液を循環させるための手段であって、リザーバ手段の出口と流体連通して配置された入口および熱交換器手段の第２の膨張コイルの入口と流体連通して配置された出口を有する循環手段と；
（ｅ）リザーバ手段を迂回させ、冷却ユニット手段の出口から熱交換器手段の第２の膨張コイルの入口に直接溶液を配送するための、冷却ユニット手段の出口とポンプ手段の入口との間に配置されたバイパス手段と；
（ｆ）冷却ユニット手段の出口とポンプ手段の入口との間のバイパスラインに配置された第１のバルブ手段であって、ここで、冷却すべき本体中の温度が既定の温度より高いときに開いて冷却ユニット手段の出口から熱交換器手段の第２の膨張コイルの入口に直接溶液を配送し、それによってリザーバ手段を迂回させる第１のバルブ手段と；
（ｇ）冷却ユニット手段の出口とリザーバ手段の入口との間に配置された連結ラインと、連結ラインに配置された第２のバルブ手段であって、ここで、冷却すべき本体中の温度が既定の温度より高いときに第２バルブが閉じ、第１のバルブが閉じたときに第２のバルブが開いて溶液をリザーバ手段の入口に流入させる第２のバルブ手段と、
を含む、自動車の蒸気圧縮エアコンシステムに使用するための二次冷却ループシステム。
【請求項３】
（ａ）熱交換器の第１の膨張コイルを通して冷媒を循環させ、そして熱交換器の第２の膨張コイルを通して冷却溶液を循環させる工程と；
（ｂ）溶液が冷却ユニットを通って循環するときに溶液を冷却する工程であって、ここで冷却ユニットが熱交換器の第２の膨張コイルと流体連通して配置される工程と；
（ｃ）冷却ユニットの出口とポンプ手段の入口との間に配置された連結ラインに配置された第１のバルブを冷却すべき本体中の温度が既定の温度より高いときに開けて冷却ユニットの出口から熱交換器の第２の膨張コイルの入口に直接溶液を配送し、それによってリザーバを迂回させる工程と；
（ｄ）バイパスラインから熱交換器の第２の膨張コイルの入口に戻って溶液を循環させる工程と；
（ｅ）冷却コイルユニットの出口とリザーバの入口との間の連結ラインに配置された第２のバルブを閉じる工程と；
(ｆ) 冷却すべき本体中の温度が既定の温度より低いときに第１のバルブを閉じ、第２のバルブを開ける工程と
を含む、自動車の蒸気圧縮エアコンシステムに使用するための二次冷却ループシステムにおけるリザーバの迂回方法。
【発明の詳細な説明】
【技術分野】
【０００１】
本発明は、蒸気圧縮エアコンシステムでの使用のための二次ループ冷却システム、およびかかるシステム中のリザーバの迂回方法に関する。特に、この冷却システムは、蒸気圧縮システムに使用される冷媒が可燃性であるときに特に有用である、不燃性の冷却液を使用する。
【背景技術】
【０００２】
作動流体に対する新たな環境規制により、冷凍およびエアコン業界は低い地球温暖化係数（ＧＷＰ）の新規作動流体を探し求めてきた。低いＧＷＰを有し、毒性がなく、不燃性であり、適度のコストおよび優れた性能を有する代替作動流体が探し求められている。
【０００３】
ＨＦＣ−１５２ａ（１−１）ジフルオロエタンは、可燃性冷媒であり、それが客室中へ漏洩するのを防ぐための移動式エアコンシステムにおける二次ループシステム向けに検討中されている。かかる二次ループシステムは公知である。典型的な公知の移動式エアコンシステムは図１に示される。１０で概して示されるこのシステムは、図１において２０で概して示される移動式エアコンシステムとして使用されてもよい、一次蒸気圧縮システムと、図１において３０で概して示される二次ループ冷却システムとを含む。図１に関連して、蒸気圧縮システムは、入口１２および出口１３を有する圧縮機１１と、入口１５および出口１６を有する任意のアキュムレーター１４とを含む。連結ライン１７はアキュムレーターと圧縮機とを連結する。アキュムレーターが使用される場合、それは、熱交換器で蒸発しないいかなる液体も分離し、液体が圧縮機に入るのを防ぐ。ガス状冷媒は、アキュムレーター１４の出口１６から、連結ライン１７を通って圧縮機１１の入口１２に流れ、そこでガス状冷媒はより高い圧力に圧縮される。圧縮機の出口１３は、連結ライン１８によって、入口２１および出口２２を有する凝縮器１９に連結される。圧縮されたガス状冷媒は、ライン１８から入口２１へ、そして凝縮器を通して循環され、こうして放熱し、凝縮器中で液体に変換される。液体冷媒は、凝縮器の出口２２に、そして冷却システム３０の一部であるチラー、すなわち熱交換器２５に凝縮器を連結する連結ライン２４中の膨張デバイスを通して循環される。熱交換器２５は、入口２７および出口２８を有する第１の膨張コイルまたはチューブ２６を含む。冷媒は、入口２７から膨張コイルを通って出口２８に循環する。液体冷媒は、熱交換器の第１の膨張コイルを通って流れ、膨張する。熱交換器２５はまた、それを通して冷却溶液を循環させるための入口３１および出口３２を有する第２の膨張コイルまたはチューブ２９を含む。液体冷媒は低温での熱交換器中で蒸発して低圧ガスを形成し、こうして冷却溶液の冷却を行う。熱交換器の第１の膨張コイルの出口２８は、連結ライン３４によってアキュムレーターの入口１５に連結される。熱交換器からの低圧冷媒ガスは圧縮機に入り、そこでガスは圧縮されてその圧力および温度を上げ、このサイクルがそれから繰り返す。
【０００４】
熱交換器の第２の膨張コイル２９中の冷却溶液は、第２の膨張コイルの出口３２から連結ライン３５を通して、入口３６および出口３７を有する冷却ユニット３３に循環される。冷却溶液は、冷却ユニットの入口３６に、冷却ユニットを通して、そしてそれの出口３７に循環される。冷却ユニットは客室中に置かれる。示されていないファンが冷却ユニットの外側に配置され、冷却ユニットを通過したファンからの空気が客室に冷却を提供する。冷却溶液は次に、連結ライン３９を介してリザーバ３８に循環される。リザーバは入口４０および出口４１を有する。冷却溶液は入口４０からリザーバを通り、そして出口４１に、そしてリザーバとポンプとを連結する連結ライン４２を通してリザーバからポンプ４３に、ポンピングされる。ポンプは入口４４および出口４５を有し、冷却液は入口４４からポンプを通って出口４５に流れ、連結ライン４６を介して元の熱交換器の第２の膨張コイルの入口３１にポンピングで戻される。
【発明の概要】
【発明が解決しようとする課題】
【０００５】
かかる二次ループシステムでの欠点の１つは、図１において２０で示されるものなどの、一次蒸気圧縮システムのみの使用と比べて、暑い日に特に、自動車の客室の冷却が比較的遅いことである。それ故、二次ループ冷却システムでの自動車の客室の冷却を促進することが必要とされている。
【課題を解決するための手段】
【０００６】
先行技術の二次ループ冷却システムの欠点を克服するために、二次冷却システムにおけるリザーバを迂回させることによって、自動車の客室がかかる迂回なしよりも迅速に冷却され得ることが見いだされた。二次ループシステムにおけるリザーバは、客室が冷却されるまで迂回させることができ、次にリザーバの内容物をその後冷却することができる。
【０００７】
かかるバイパスシステムは、移動式だけでなく、二次ループが用いられる固定式エアコンまたは冷却システムにも適用できる。
【０００８】
それ故、本発明に従って、それを通して冷媒を循環させるための第１の膨張コイルと、それを通して冷却溶液を循環させるための第２の膨張コイルとを有する熱交換器と；入口および出口を有する、それを通って溶液が循環するときに溶液を冷却するための冷却ユニットであって、入口が熱交換器の第２の膨張コイルと流体連通しており、さらに冷却されるべきエリアに配置されるのに適している冷却ユニットと；入口および出口を有する、溶液を貯蔵するためのリザーバであって、入口が冷却ユニットの出口と流体連通して配置されるリザーバと；リザーバから元の熱交換器に貯蔵溶液を循環させるためのリターンラインと；リザーバを迂回させ、冷却ユニットの出口から熱交換器の第２のチューブの入口に直接溶液を配送するための冷却ユニットの出口と熱交換器の入口との間に配置されたバイパスラインと；冷却ユニットの出口と熱交換器の入口との間のバイパスラインに配置された第１のバルブであって、開いて冷却ユニットの出口から熱交換器の入口に直接溶液を配送し、それによってリザーバを迂回させる第１のバルブとを含む、二次冷却ループシステムを含むエアコンまたは冷却システムが提供される。
【０００９】
さらに本発明に従って、熱交換器の第１の膨張コイルを通して冷媒を循環させる工程と；熱交換器の第２の膨張コイルを通して冷却溶液を循環させる工程と；冷却溶液が冷却ユニットを通って循環するときに溶液を冷却する工程であって、冷却ユニットが熱交換器の第２の膨張コイルと流体連通して配置され、そしてさらに冷却ユニットが冷却されるべきエリアに配置されるのに適している工程と；冷却ユニットの出口と熱交換器の第２の膨張コイルの入口との間に配置されたバイパスラインに配置された第１のバルブを開けて冷却ユニットの出口から熱交換器の第２の膨張コイルの入口に直接溶液を配送し、それによってリザーバを迂回させる工程と；バイパスラインから元の熱交換器の第２の膨張コイルの入口に溶液を循環させる工程とを含む、二次冷却ループシステムにおけるリザーバの迂回方法が提供される。
【００１０】
本発明は、以下の図に関連してより良く理解され得る。
【図面の簡単な説明】
【００１１】
【図１】先行技術に従った自動車におけるエアコンシステムでの使用のための公知の二次ループシステムの略図である。
【図２】シングルエバポレーターを使用する、本発明に従った自動車におけるエアコンシステムでの使用のための二次ループシステムの略図である。
【図３】デュアルエバポレーターを使用する、本発明に従った自動車におけるエアコンシステムでの使用のための二次ループシステムの略図である。
【発明を実施するための形態】
【００１２】
本発明は、自動車のエアコンシステムに一緒に使用することができる、蒸気圧縮システムでの使用のための二次ループ冷却システムを含むエアコンまたは冷却システムを提供する。かかるエアコンまたは冷却システムは、図２において１１０で概して示され、図２において１２０で概して示される蒸気圧縮システムと、図２において１３０で概して示される二次ループ冷却システムとを含む。かかるシステムは、図２において、かかる同様の要素が１００番台の参照番号で示されることを除いては、同様の要素が類似の参照番号で示される状態で、図１に示されるものに似ている。
【００１３】
本発明の二次ループ冷却システムは、それを通して冷媒を循環させるための第１の膨張コイルと、それを通して冷却溶液を循環させるための第２の膨張コイルとを有する熱交換器手段を含む。熱交換器手段は、チラーと言われてもよい熱交換器、または２つの流体間で熱を交換するための任意の手段を含む。熱交換器１２５は図２に示され、入口１２７および出口１２８を有する第１の膨張コイルまたはチューブ１２６を含む。冷媒は、下に記載される蒸気圧縮システムの一部としての第１の膨張コイルを通って循環する。熱交換器１２５はまた、客室において、それを通して冷却溶液を冷却コイルまたは装置に循環させるための、入口１３１および出口１３２を有する第２の膨張コイル１２９を含む。一実施形態では、熱交換器は向流熱交換器であってもよい。かかる熱交換器において、冷媒は一方向に第１の膨張コイル中で循環され、冷却溶液は反対方向に第２の膨張コイルを通して循環される。
【００１４】
本発明の二次ループ冷却システムはまた、溶液が熱交換器手段を出た後に溶液を冷却するための冷却ユニット手段を含む。冷却手段は、図２に示される冷却ユニット１３３などのような冷却ユニットを含んでもよい。冷却ユニットは入口１３６および出口１３７を有する。入口１３６は、冷却液が熱交換器から冷却ユニットに流れるように熱交換器の第２の膨張コイルと、具体的には第２の膨張コイルの出口１３７と、流体連通されている。冷却ユニットは、移動式エアコン用途で自動車の客室などの冷却されるべき本体、または固定式エアコンもしくは冷却用途で冷却される本体の近くに配置されるのに適している。
【００１５】
本発明の二次ループ冷却システムはまた、冷却溶液を貯蔵するためのリザーバ手段を含む。リザーバ手段は、図２に示されるリザーバ１３８などのようなリザーバ、すなわちタンクを含んでもよい。リザーバ１３８は入口１４０および出口１４１を有する。連結ライン１３９が、冷却ユニットの出口とリザーバの入口との間に配置される。リザーバの入口は、冷却液が冷却ユニットからリザーバに流れるように、連結ライン１３９を介して冷却ユニットの出口１３７と流体連通して配置される。
【００１６】
本発明の二次ループ冷却システムはまた、リザーバから元の熱交換器手段に貯蔵溶液を循環させるための手段を含む。図２の実施形態では、循環手段は、ポンプ１４３などのポンプと、連結ライン１４２および連結ライン１４６とを含んでもよい。ポンプ１４３は、リザーバの出口１４１と流体連通して配置された入口１４４および熱交換器と流体連通して配置された出口１４５を有する。連結ライン１４２はリザーバとポンプとを連結する。ポンプ１４３の出口１４５は、連結ライン１４６を介して熱交換器の第２の膨張コイルの入口１３１と流体連通している。
【００１７】
本発明の二次ループ冷却システムはまた、リザーバを迂回させ、冷却ユニットの出口から熱交換器手段の第２の膨張コイルの入口に直接冷却溶液を配送するためのバイパス手段を含む。バイパス手段は、冷却溶液を搬送することができるラインまたはホースを含んでもよい。バイパスラインは、冷却ユニットの出口と熱交換器の入口との間に配置される。バイパスラインは、図２において１４８で示され、冷却ユニットの出口１３７と熱交換器の入口１３１との間に配置され、ポンプの入口１４４の直前で連結ライン１４２と一緒になる。
【００１８】
本発明の二次ループ冷却システムはまた、冷却ユニット手段の出口と熱交換器手段の入口との間のバイパスラインに配置された第１のバルブ手段を含む。第１のバルブ手段は、下で説明されるように、温度の変化によって作動する任意のタイプのバルブを含んでもよい。第１のバルブ１４９は図２に示され、バイパスライン１４８がポンプの入口１４４と一緒になる前に、冷却ユニットの出口１３７と熱交換器の入口１３１との間のバイパスラインに配置される。第１のバルブは開いて冷却溶液が冷却ユニットの出口から熱交換器の入口に直接流れるのを可能にし、それによってリザーバを迂回させる。
【００１９】
本発明の二次ループ冷却システムは、冷却ユニット手段の出口とリザーバ手段の入口との間に配置された第２のバルブ手段をさらに含む。第２のバルブ手段は、下で説明されるように、温度の変化によって作動する任意のタイプのバルブを含んでもよい。第２のバルブ１５０は図２に示され、冷却ユニットの出口１３７とリザーバの入口１４０との間の連結ライン１３９に配置される。第２のバルブは、第１のバルブが閉じて冷却溶液がリザーバの入口に流れ込むことを可能にするときに開く。
【００２０】
本発明の二次ループ冷却システムは、本体中の温度を感知し、本体中の温度を既定の温度と比較するための、冷却されるべき本体に配置されるように構成された温度センサー手段をさらに含む。温度センサー手段は、自動車の客室中になど、冷却されるべき本体の近くにまたは本体に配置される、図２に示される温度センサー１５２などのような温度センサーを含んでもよい。温度センサーは、自動車の客室などの、冷却されるべき本体中の温度を感知し、客室中の温度を設定点、または既定の温度と比較する。この設定点温度は、冷却されるべき本体中での所望の温度にいかに速く達することができるかを踏まえて決定される。
【００２１】
本発明の二次ループ冷却システムは、客室中の温度を第１のバルブに伝えるための、および客室中の温度が既定の温度より高いときに第１のバルブを開くための手段をさらに含む。乗車室中の温度を第１のバルブに伝えるための手段は、図２に示されるライン１５３などのようなラインである。このラインは、電気信号を第１のバルブに送る導電性ワイヤであることができる。
【００２２】
本発明の二次ループ冷却システムは、第２のバルブ手段に客室中の温度を伝えるための手段、および客室中の温度が既定の温度より高いときに第２のバルブを閉じるための手段をさらに含む。客室中の温度を第２のバルブ手段に伝えるための手段は、図２に示されるライン１５４などのようなラインである。また、ライン１５４は、電気信号を第２のバルブに送る導電性ワイヤであってもよい。第１のおよび第２のバルブのそれぞれは独立して、それらの開閉を制御する温度センサーに通じている。
【００２３】
本発明の第１のおよび第２のバルブは、電子ソレノイドバルブであってもよく、センサー１５２は、バルブのそれぞれに制御信号を提供する温度自動調節器であってもよい。ソレノイドバルブはまた、リザーバ１３８へかライン１４８を通ってかのどちらかの流れ込みを可能にする単一の双方向ソレノイドバルブに組み合わせることができる。制御システムの当業者は、ライン１３９とライン１４８のどちらを通って流れるかの比例制御が、時間の百分率に作動周期を適用することによって行い得ることを認めるであろう。
【００２４】
図２のシステムにおいて、ポンプ１４３は、可能性のあるポイント１４１とポイント１４９のうちどちらかの、最高圧力フィードを提供するポイントから流体を抜き出す。バルブ１５０が閉められ、１４９が開いている場合、流れは、その圧力が１４９の圧力に等しくなるまで依然として１４１から続くであろう。１４９でのシステム中の圧力が１４１でのシステム中の圧力より高い場合、リザーバ１３８中へ逆流するであろう。これを防ぐために、バルブ１５０と同時に作動するチェック−バルブ１４７が連結ライン１４２中に提供される。
【００２５】
上記のような二次冷却ループは、図２において１２０に概して示される標準蒸気圧縮システムと接続して使用されてもよい。かかる蒸気圧縮システムは、入口１１２および出口１１３を有する圧縮機１１１と、入口１１５および出口１１６を有するアキュムレーター１１４とを含む。図２に示されるように、連結ライン１１７がアキュムレーターと圧縮機とを連結する。ガス状冷媒は、任意のアキュムレーター１１２の出口１１６から、連結ライン１１７を通って圧縮機１１１の入口１１２に流れ、そこでガス状冷媒はより高い圧力に圧縮される。圧縮機の出口１１３は、連結ライン１１８によって、入口１２０および出口１２１を有する、凝縮器１１９に連結される。圧縮されたガス状冷媒は、ライン１１８から入口１２０に、そして凝縮器を通って循環され、こうして放熱し、液体に変換される。液体冷媒は、凝縮器の出口１２１に、そして冷却システム１２０の一部であるチラー、すなわち熱交換器１２５に凝縮器を連結する連結ライン１２３中のバルブ１２２を通して循環される。熱交換器１２５は、上記のように、入口１２７および出口１２８を有する第１の膨張コイル１２６を含む。冷媒は、入口１２７から膨張コイル１２６を通しておよび出口１２８を通して循環される。熱交換器１２５はまた、上記のように、客室などの、冷却されるべき本体中の冷却コイルにそれを通して冷却溶液を循環させるための、入口１３１および出口１３２を有する第２の膨張コイル１２９を含む。液体冷媒は低温での熱交換器中で蒸発して低圧ガスを形成し、こうして冷却溶液の冷却を行う。熱交換器の第１の膨張コイルの出口１２８は、連結ライン１３４によってアキュムレーターの入口１１５に連結される。熱交換器からの低圧冷媒ガスは圧縮機に入り、そこでガスは圧縮されてその圧力および温度を上げ、このサイクルがそれから繰り返す。
【００２６】
一実施形態では、冷却ユニット手段は、図２に示されるように、シングルエバポレーターを含んでもよい。しかしながら、大きい車両を冷却するときなど、デュアルエバポレーターが好ましい場合があるかもしれない。かかるデュアルエバポレーターシステムは、図３において、かかる同様の要素が２００番台の参照番号で示されることを除いては、同様の要素が類似の参照番号で示される状態で、図２に示されるものに似ている。
【００２７】
図３のデュアルエバポレーターシステムは、２つの冷却ユニット、具体的には、図３において２５５で示される前方冷却ユニットと、図３において２５７で示される後方冷却ユニットとを含む。前方冷却ユニットは入口２５８および出口２５９を有する。前方冷却ユニットの出口は前方ポンプ２６０と流体連通して配置される。具体的には、前方ポンプは入口２６１および出口２６２を有し、前方冷却ユニットは連結ライン２６３を介して前方ポンプの出口と流体連通して配置される。前方ポンプの出口はまた、連結ライン２６４を介して後方冷却ユニットと流体連通して配置される。具体的には、後方冷却ユニットは入口２６５および出口２６６を有し、前方ポンプの出口２６２は、後方冷却ユニットの入口２６５と流体連通して配置される。全ループ流れは、前方ポンプ２６０のポンピング速度によって制御される。前方冷却ユニット２５５および後方冷却ユニット２５７を通る流れの比は、後方ポンプ２６７によって制御される。代わりのデザインは、各装置に行く流体の全流れの割合を制御するために比例制御ソレノイドバルブをライン２６３および２６４に置くであろう。後方冷却ユニットの出口は、連結ライン２６８を介して後方ポンプ２６７と流体連通して配置される。後方ポンプは入口２６９および出口２７０を有する。後方ポンプの出口２７０は、連結ライン２３９を介してバイパスライン２４８に流体連通して配置される。前方冷却ユニットの出口はまた、連結ライン２７２および連結ライン２３９を介してバイパスライン２４８と流体連通して配置される。
【００２８】
図３に例示されるような本発明のデュアルエバポレーター実施形態の二次ループ冷却システムはまた、冷却溶液を貯蔵するためのリザーバ手段を含む。リザーバ手段は、図３に示されるリザーバ２３８などのようなリザーバ、すなわちタンクを含んでもよい。リザーバ２３８は入口２４０および出口２４１を有する。連結ライン２３９が、冷却ユニットの出口とリザーバの入口との間に配置される。リザーバの入口は、冷却液が冷却ユニットからリザーバに流れるように、連結ライン２３９を介して冷却ユニットの出口２３７と流体連通して配置される。
【００２９】
図３に例示されるような本発明のデュアルエバポレーター実施形態の二次ループ冷却システムはまた、リザーバから元の熱交換器に貯蔵溶液を循環させるためのリターンラインを含む。図２の実施形態では、このリターンラインは連結ライン１４６である。リザーバの出口２４１は、連結ライン１４６を介して熱交換器の第２の膨張コイルの入口１３１と流体連通している。
【００３０】
図３に例示されるような本発明のデュアルエバポレーター実施形態の二次ループ冷却システムはまた、リザーバを迂回させ、冷却ユニット手段の出口から熱交換器の第２のチューブの入口に直接冷却溶液を配送するためのバイパス手段を含む。バイパス手段は、冷却溶液を搬送することができるラインまたはホースを含んでもよい。バイパスラインは、図３において２４８で示され、冷却ユニットの出口２３７と熱交換器の第２の膨張コイルの入口２３１との間に配置される。
【００３１】
図３に例示されるような実施形態で本発明の二次ループ冷却システムはまた、冷却ユニット手段の出口と熱交換器手段の第２の膨張コイルの入口との間のバイパスラインに配置された第１のバルブ手段を含む。第１のバルブ手段は、下で説明されるように、温度の変化によって作動する任意のタイプのバルブを含んでもよい。第１のバルブ２４９は図３に示され、冷却ユニットの出口２３７と熱交換器の第２の膨張コイルの出口２３１との間のバイパスラインに配置される。第１のバルブは開いて冷却溶液が冷却ユニットの出口から熱交換器の第２の膨張コイルの入口に直接流れるのを可能にし、それによってリザーバを迂回させる。
【００３２】
本発明の二次ループ冷却システムは、冷却ユニット手段の出口とリザーバ手段の入口との間に配置された第２のバルブ手段をさらに含む。第２のバルブ手段は、下で説明されるように、温度の変化によって作動する任意のタイプのバルブを含んでもよい。第２のバルブ２５０は図３に示され、冷却ユニットの出口２３７とリザーバの入口２４０との間の連結ライン２３９に配置される。第２のバルブは、第１のバルブが閉じて冷却溶液がリザーバの入口に流れ込むことを可能にするときに開く。図２の実施形態について上に指摘されたように、第１のおよび第２のバルブのそれぞれは独立して、それらの開閉を制御する温度センサーに通じている。
【００３３】
本発明の図３の実施形態の二次ループ冷却システムは、本体中の温度を感知し、本体中の温度を既定の温度と比較するための、冷却されるべき本体に配置されるように構成された温度センサー手段をさらに含む。温度センサー手段は、自動車の客室中など、冷却されるべき本体の近くにまたは本体に配置される、図３に示される温度センサー２５２などのような温度センサーを含んでもよい。温度センサーは、自動車の客室などの、冷却されるべき本体中の温度を感知し、客室中の温度を設定点、または既定の温度と比較する。この設定点温度は、冷却されるべき本体中での所望の温度にいかに速く達することができるかを踏まえて決定される。
【００３４】
本発明の図３の実施形態の二次ループ冷却システムは、冷却されるべき本体中の温度を第１のバルブに伝えるための手段と、冷却されるべき本体中の温度が既定の温度より高いときに第１のバルブを開くための手段とをさらに含む。自動車の客室などの、冷却されるべき本体中の温度を第１のバルブに伝えるための手段は、図３に示されるライン２５３などのようなラインである。このラインは、電気信号を第１のバルブに送る導電性ワイヤであることができる。また、図２の実施形態におけるように、第１のおよび第２のバルブのそれぞれが独立して、それらの開閉を制御する温度センサーに通じている。
【００３５】
図２の実施形態におけるように、本発明の第１のおよび第２のバルブは、電子ソレノイドバルブであってもよく、センサー２５２は、バルブのそれぞれに制御信号を提供する温度自動調節器であってもよい。ソレノイドバルブはまた、リザーバ２３８へかライン２４８を通ってかのどちらかの流れ込みを可能にする単一の双方向ソレノイドバルブに組み合わせることができる。また、ライン１３９とライン１４８のどちらを通って流れるかの比例制御は、時間の百分率に作動周期を適用することによって行い得る。
【００３６】
図３のシステムにおいて、バルブ２５０が閉められ、２４９が開いている場合、流れは、その圧力が２４９の圧力に等しくなるまで依然として２４１から続くであろう。２４９でのシステム中の圧力が２４１でのシステム中の圧力より高い場合、リザーバ２３８中へ逆流するであろう。これを防ぐために、バルブ２５０と同時に作動するチェック−バルブ２４７が連結ライン２４２中に提供される。
【００３７】
上記のような二次冷却ループは、図３において２２０に概して示される標準蒸気圧縮システムと接続して使用されてもよい。かかる蒸気圧縮システムは、入口２１２および出口２１３を有する圧縮機２１１と、入口２１５および出口２１６を有するアキュムレーター２１４とを含む。図３に示されるように、連結ライン２１７がアキュムレーターと圧縮機とを連結する。ガス状冷媒は、任意のアキュムレーター２１２の出口２１６から、連結ライン２１７を通って圧縮機２１１の入口２１２に流れ、そこでガス状冷媒はより高い圧力に圧縮される。圧縮機の出口２１３は、連結ライン２１８によって、入口２２０および出口２２１を有する、凝縮器２１９に連結される。圧縮されたガス状冷媒は、ライン２１８から入口２２０に、そして凝縮器を通って循環され、こうして放熱し、液体に変換される。液体冷媒は、凝縮器の出口２２１に、そして冷却システム２２０の一部であるチラー、すなわち熱交換器２２５に凝縮器を連結する連結ライン２２３中のバルブ２２２を通して循環される。熱交換器２２５は、上記のように、入口２２７および出口２２８を有する第１の膨張コイル２２６を含む。冷媒は、入口２２７からチューブ２２６を通しておよび出口２２８を通して循環される。熱交換器２２５はまた、上記のように、客室などの、冷却されるべき本体中の冷却コイルにそれを通して冷却溶液を循環させるための、入口２３１および出口２３２を有する第２の膨張コイル２２９を含む。液体冷媒は低温での熱交換器中で蒸発して低圧ガスを形成し、こうして冷却溶液の冷却を行う。熱交換器の第１の膨張コイルの出口２２８は、連結ライン２３４によってアキュムレーターの入口２１５に連結される。熱交換器からの低圧冷媒ガスは圧縮機に入り、そこでガスは圧縮されてその圧力および温度を上げ、このサイクルがそれから繰り返す。
【００３８】
さらに本発明に従って、自動車のエアコンシステムにおける蒸気圧縮システムでの使用のための二次冷却ループシステムにおけるリザーバの迂回方法が提供される。この方法は、図２および３において上記のようなシステムの運転の説明と併せて記載される。本方法は、熱交換器の第１の膨張コイルを通して冷媒を循環させる工程を含む。冷媒は、図２および３ではそれぞれ、熱交換器１２５または２２５などの第１の膨張コイル１２６または２２６などの入口１２７または２２７などを通して、それの出口１２８または２２８などに循環される。
【００３９】
本発明の方法はまた、熱交換器の第２の膨張コイルを通して冷却溶液を循環させる工程を含む。冷却溶液は、図２および３ではそれぞれ、熱交換器１２５または２２５などの第２のチューブ１２９または２２９などの入口１３１または２３１などを通して、出口１３２または２３２などの、それの出口に循環される。熱交換器は向流熱交換器であってもよく、ここで冷媒は一方向に第１の膨張コイル中を循環され、冷却溶液は反対方向に第２の膨張コイルを通して循環され、熱交換が冷媒と溶液との間で達成される。
【００４０】
本発明の方法はまた、冷却されるべき本体中に置かれるのに適している、冷却ユニットに冷却溶液を循環させる工程を含む。図２の実施形態では、冷却溶液は、自動車の客室などの、冷却されるべき本体中に置かれるのに適している、冷却ユニット１３３などの、冷却ユニットに循環される。図３のデュアルエバポレーターシステムにおいて、冷却溶液は、２つの冷却ユニット、具体的には、図３において２５５で示される前方冷却ユニットと、図３において２５７で示される後方冷却ユニットとを通して循環される。冷却溶液は、ポンプ２６０などの前方ポンプから、冷却ユニットの入口２５８、出口２５９に流れる。具体的には、前方ポンプは、冷却溶液が前方ポンプの出口から連結ラインを介して冷却ユニットの入口に流れるように、入口２６１および出口２６２を有する。冷却溶液はまた、前方ポンプの出口から連結ライン２６４を介して後方冷却ユニットの入口２６５に、冷却ユニットを通って冷却ユニットの出口２６２に流れる。冷却溶液は、後方冷却ユニットの出口から、ライン２６８などの連結ラインを介して、ポンプ２６７などの後方ポンプに流れる。冷却溶液は、後方ポンプの出口から、ライン２３９などの、連結ラインを介して、ライン２４８などのバイパスラインに流れる。前方冷却ユニットの出口はまた、冷却溶液がまた前方冷却ユニットからバイパスラインに流れるように、連結ライン２７２および連結ライン２３９を介してバイパスライン２４８と流体連通して配置される。全ループ流れが、前方ポンプ２６０のポンピング速度によって制御される。前方冷却ユニット２５５および後方冷却ユニット２５７を通る流れの比は、後方ポンプ２６７によって制御される。
【００４１】
本発明の方法はまた、冷却ユニットの出口と熱交換器の第２の膨張コイルの入口との間に配置された連結ラインに配置された第１のバルブを開く工程を含む。１４９または２４９などの、第１のバルブは、冷却ユニットの出口１３７または２３７と熱交換器２２５の第２の膨張コイルの入口２３１との間の、バイパスライン１４８または２４８などの、バイパスラインに配置される。
【００４２】
本発明の方法はまた、冷却ユニットの出口とリザーバの入口との間の連結ラインに配置された第２のバルブを閉めて冷却ユニットの出口から熱交換器の第２の膨張コイルの入口に直接溶液を配送する工程を含む。１３９または２３９などの連結ラインに配置された、１５０または２５０などの第２のバルブは、冷却ユニットの出口１３７または２３７などと、リザーバ１３８または２３８の入口１４０または２４０などとの間に配置される。第１のバルブが開いて冷却ユニットの出口から熱交換器の第２の膨張コイルの入口に直接溶液を配送し、それによってリザーバを迂回させる。
【００４３】
本発明の方法はまた、バイパスラインから元の熱交換器の第２の膨張コイルの入口に溶液を循環させる工程を含む。この工程では、冷却溶液は、１４１’または２４１などのバイパスラインから、元の熱交換器１２４または２２４などの第２の膨張コイルの入口１３１または２３１に、ポンプ１４３または２４３などのポンプによってポンピングされる。
【００４４】
本発明の方法は、冷却されるべき本体中の空気の温度を感知し、冷却されるべき本体中の温度を既定の温度と比較する工程と、客室中の温度が既定の温度より高いときに第１のバルブを開ける工程とをさらに含む。この工程では、自動車の客室などの、冷却されるべき本体中の空気の温度は、図２におけるセンサー１５２または図３における２５２などの温度センサーによって感知される。１４９または２４９などの第１のバルブは、冷却されるべき本体中の温度が既定の温度より高いときに開かれる。
【００４５】
本発明の方法は、客室中の温度が既定の温度より低いときに第１のバルブを閉め、第２のバルブを開ける工程をさらに含む。この工程では、客室中の温度が既定の温度より低いときに、それぞれ、図２および３におけるバルブ１４９または２４９などの第１のバルブが開けられ、図２における１５０または図３における２５０などの、第２のバルブが閉められる。この低い温度は客室中の温度の低下を示し、その時点で、バイパスはもはや必要とされない。自動車の客室などの冷却されるべき本体が所望の温度にあるこの時点で、冷却溶液はリザーバを通って流れることができ、リザーバの全体内容物が二次ループ冷却システムを通って流れることができる。
【００４６】
本システムおよび方法に使用される冷却溶液は、好ましくは不燃性の冷却溶液である。加えて、１５２ａなどの、可燃性冷媒が使用されるときに、これは本システムの可燃性を減少させる。冷却溶液は、エチレングリコールかプロピレングリコールかのどちらかであってもよいし、またはそれはプロパンジオール、もしくはこの文章における前述のもののいずれかと水との混合物であってもよい。一実施形態では、３０％エチレングリコール、７０％水の溶液が使用されてもよい。
【００４７】
本発明のシステムまたは方法で使用される冷媒は、少なくとも１種のフルオロオレフィンを含んでもよい。本発明で使用されるフルオロオレフィンは以下の群：（ｉ）式Ｅ−またはＺ−Ｒ１ＣＨ＝ＣＨＲ２（式中、Ｒ１およびＲ２は、独立して、Ｃ１〜Ｃ６パーフルオロアルキル基である）のフルオロオレフィン；（ｉｉ）式シクロ−［ＣＸ＝ＣＹ（ＣＺＷ）ｎ−］（式中、Ｘ、Ｙ、Ｚ、およびＷは、独立して、ＨまたはＦであり、ｎは２〜５の整数である）の環状フルオロオレフィン；または（ｉｉｉ）テトラフルオロエチレン（ＣＦ２＝ＣＦ２）；ヘキサフルオロプロペン（ＣＦ３ＣＦ＝ＣＦ２）；１，２，３，３，３−ペンタフルオロ−１−プロペン（ＣＨＦ＝ＣＦＣＦ３）、１，１，３，３，３−ペンタフルオロ−１−プロペン（ＣＦ２＝ＣＨＣＦ３）、１，１，２，３，３−ペンタフルオロ−１−プロペン（ＣＦ２＝ＣＦＣＨＦ２）、１，２，３，３−テトラフルオロ−１−プロペン（ＣＨＦ＝ＣＦＣＨＦ２）、２，３，３，３−テトラフルオロ−１−プロペン（ＣＨ２＝ＣＦＣＦ３）、１，３，３，３−テトラフルオロ−１−プロペンＣＨＦ＝ＣＨＣＦ３）、１，１，２，３−テトラフルオロ−１−プロペン（ＣＦ２＝ＣＦＣＨ２Ｆ）、１，１，３，３−テトラフルオロ−１−プロペン（ＣＦ２＝ＣＨＣＨＦ２）、１，２，３，３−テトラフルオロ−１−プロペン（ＣＨＦ＝ＣＦＣＨＦ２）、３，３，３−トリフルオロ−１−プロペン（ＣＨ２＝ＣＨＣＦ３）、２，３，３−トリフルオロ−１−プロペン（ＣＨＦ２ＣＦ＝ＣＨ２）；１，１，２−トリフルオロ−１−プロペン（ＣＨ３ＣＦ＝ＣＦ２）；１，２，３−トリフルオロ−１−プロペン（ＣＨ２ＦＣＦ＝ＣＨＦ）；
１，１，３−トリフルオロ−１−プロペン（ＣＨ２ＦＣＨ＝ＣＦ２）；１，３，３−トリフルオロ−１−プロペン（ＣＨＦ２ＣＨ＝ＣＨＦ）；１，１，１，２，３，４，４，４−オクタフルオロ−２−ブテン（ＣＦ３ＣＦ＝ＣＦＣＦ３）；１，１，２，３，３，４，４，４−オクタフルオロ−１−ブテン（ＣＦ３ＣＦ２ＣＦ＝ＣＦ２）；１，１，１，２，４，４，４−ヘプタフルオロ−２−ブテン（ＣＦ３ＣＦ＝ＣＨＣＦ３）；１，２，３，３，４，４，４−ヘプタフルオロ−１−ブテン（ＣＨＦ＝ＣＦＣＦ２ＣＦ３）；１，１，１，２，３，４，４−ヘプタフルオロ−２−ブテン（ＣＨＦ２ＣＦ＝ＣＦＣＦ３）；１，３，３，３−テトラフルオロ−２−（トリフルオロメチル）−１−プロペン（（ＣＦ３）２Ｃ＝ＣＨＦ）；１，１，３，３，４，４，４−ヘプタフルオロ−１−ブテン（ＣＦ２＝ＣＨＣＦ２ＣＦ３）；１，１，２，３，４，４，４−ヘプタフルオロ−１−ブテン（ＣＦ２＝ＣＦＣＨＦＣＦ３）；１，１，２，３，３，４，４−ヘプタフルオロ−１−ブテン（ＣＦ２＝ＣＦＣＦ２ＣＨＦ２）；２，３，３，４，４，４−ヘキサフルオロ−１−ブテン（ＣＦ３ＣＦ２ＣＦ＝ＣＨ２）；１，３，３，４，４，４−ヘキサフルオロ−１−ブテン（ＣＨＦ＝ＣＨＣＦ２ＣＦ３）；１，２，３，４，４，４−ヘキサフルオロ−１−ブテン（ＣＨＦ＝ＣＦＣＨＦＣＦ３）；１，２，３，３，４，４−ヘキサフルオロ−１−ブテン（ＣＨＦ＝ＣＦＣＦ２ＣＨＦ２）；１，１，２，３，４，４−ヘキサフルオロ−２−ブテン（ＣＨＦ２ＣＦ＝ＣＦＣＨＦ２）；１，１，１，２，３，４−ヘキサフルオロ−２−ブテン（ＣＨ２ＦＣＦ＝ＣＦＣＦ３）；１，１，１，２，４，４−ヘキサフルオロ−２−ブテン（ＣＨＦ２ＣＨ＝ＣＦＣＦ３）；１，１，１，３，４，４−ヘキサフルオロ−２−ブテン（ＣＦ３ＣＨ＝ＣＦＣＨＦ２）；１，１，２，３，３，４−ヘキサフルオロ−１−ブテン（ＣＦ２＝ＣＦＣＦ２ＣＨ２Ｆ）；１，１，２，３，４，４−ヘキサフルオロ−１−ブテン（ＣＦ２＝ＣＦＣＨＦＣＨＦ２）；３，３，３−トリフルオロ−２−（トリフルオロメチル）−１−プロペン（ＣＨ２＝Ｃ（ＣＦ３）２）；１，１，１，２，４−ペンタフルオロ−２−ブテン（ＣＨ２ＦＣＨ＝ＣＦＣＦ３）；１，１，１，３，４−ペンタフルオロ−２−ブテン（ＣＦ３ＣＨ＝ＣＦＣＨ２Ｆ）；３，３，４，４，４−ペンタフルオロ−１−ブテン（ＣＦ３ＣＦ２ＣＨ＝ＣＨ２）；１，１，１，４，４−ペンタフルオロ−２−ブテン（ＣＨＦ２ＣＨ＝ＣＨＣＦ３）；１，１，１，２，３−ペンタフルオロ−２−ブテン（ＣＨ３ＣＦ＝ＣＦＣＦ３）；２，３，３，４，４−ペンタフルオロ−１−ブテン（ＣＨ２＝ＣＦＣＦ２ＣＨＦ２）；１，１，２，４，４−ペンタフルオロ−２−ブテン（ＣＨＦ２ＣＦ＝ＣＨＣＨＦ２）；１，１，２，３，３−ペンタフルオロ−１−ブテン（ＣＨ３ＣＦ２ＣＦ＝ＣＦ２）；１，１，２，３，４−ペンタフルオロ−２−ブテン（ＣＨ２ＦＣＦ＝ＣＦＣＨＦ２）；１，１，３，３，３−ペンタフルオロ−２−メチル−１−プロペン（ＣＦ２＝Ｃ（ＣＦ３）（ＣＨ３））；２−（ジフルオロメチル）−３，３，３−トリフルオロ−１−プロペン（ＣＨ２＝Ｃ（ＣＨＦ２）（ＣＦ３））；２，３，４，４，４−ペンタフルオロ−１−ブテン（ＣＨ２＝ＣＦＣＨＦＣＦ３）；１，２，４，４，４−ペンタフルオロ−１−ブテン（ＣＨＦ＝ＣＦＣＨ２ＣＦ３）；１，３，４，４，４−ペンタフルオロ−１−ブテン（ＣＨＦ＝ＣＨＣＨＦＣＦ３）；１，３，３，４，４−ペンタフルオロ−１−ブテン（ＣＨＦ＝ＣＨＣＦ２ＣＨＦ２）；１，２，３，４，４−ペンタフルオロ−１−ブテン（ＣＨＦ＝ＣＦＣＨＦＣＨＦ２）；３，３，４，４−テトラフルオロ−１−ブテン（ＣＨ２＝ＣＨＣＦ２ＣＨＦ２）；１，１−ジフルオロ−２−（ジフルオロメチル）−１−プロペン（ＣＦ２＝Ｃ（ＣＨＦ２）（ＣＨ３））；１，３，３，３−テトラフルオロ−２−メチル−１−プロペン（ＣＨＦ＝Ｃ（ＣＦ３）（ＣＨ３））；３，３−ジフルオロ−２−（ジフルオロメチル）−１−プロペン（ＣＨ２＝Ｃ（ＣＨＦ２）２）；１，１，１，２−テトラフルオロ−２−ブテン（ＣＦ３ＣＦ＝ＣＨＣＨ３）；１，１，１，３−テトラフルオロ−２−ブテン（ＣＨ３ＣＦ＝ＣＨＣＦ３）；１，１，１，２，３，４，４，５，５，５−デカフルオロ−２−ペンテン（ＣＦ３ＣＦ＝ＣＦＣＦ２ＣＦ３）；１，１，２，３，３，４，４，５，５，５−デカフルオロ−１−ペンテン（ＣＦ２＝ＣＦＣＦ２ＣＦ２ＣＦ３）；１，１，１，４，４，４−ヘキサフルオロ−２−（トリフルオロメチル）−２−ブテン（（ＣＦ３）２Ｃ＝ＣＨＣＦ３）；１，１，１，２，４，４，５，５，５−ノナフルオロ−２−ペンテン（ＣＦ３ＣＦ＝ＣＨＣＦ２ＣＦ３）；１，１，１，３，４，４，５，５，５−ノナフルオロ−２−ペンテン（ＣＦ３ＣＨ＝ＣＦＣＦ２ＣＦ３）；１，２，３，３，４，４，５，５，５−ノナフルオロ−１−ペンテン（ＣＨＦ＝ＣＦＣＦ２ＣＦ２ＣＦ３）；１，１，３，３，４，４，５，５，５−ノナフルオロ−１−ペンテン（ＣＦ２＝ＣＨＣＦ２ＣＦ２ＣＦ３）；１，１，２，３，３，４，４，５，５−ノナフルオロ−１−ペンテン（ＣＦ２＝ＣＦＣＦ２ＣＦ２ＣＨＦ２）；
１，１，２，３，４，４，５，５，５−ノナフルオロ−２−ペンテン（ＣＨＦ２ＣＦ＝ＣＦＣＦ２ＣＦ３）；１，１，１，２，３，４，４，５，５−ノナフルオロ−２−ペンテン（ＣＦ３ＣＦ＝ＣＦＣＦ２ＣＨＦ２）；１，１，１，２，３，４，５，５，５−ノナフルオロ−２−ペンテン（ＣＦ３ＣＦ＝ＣＦＣＨＦＣＦ３）；１，２，３，４，４，４−ヘキサフルオロ−３−（トリフルオロメチル）−１−ブテン（ＣＨＦ＝ＣＦＣＦ（ＣＦ３）２）；１，１，２，４，４，４−ヘキサフルオロ−３−（トリフルオロメチル）−１−ブテン（ＣＦ２＝ＣＦＣＨ（ＣＦ３）２）；１，１，１，４，４，４−ヘキサフルオロ−２−（トリフルオロメチル）−２−ブテン（ＣＦ３ＣＨ＝Ｃ（ＣＦ３）２）；１，１，３，４，４，４−ヘキサフルオロ−３−（トリフルオロメチル）−１−ブテン（ＣＦ２＝ＣＨＣＦ（ＣＦ３）２）；２，３，３，４，４，５，５，５−オクタフルオロ−１−ペンテン（ＣＨ２＝ＣＦＣＦ２ＣＦ２ＣＦ３）；１，２，３，３，４，４，５，５−オクタフルオロ−１−ペンテン（ＣＨＦ＝ＣＦＣＦ２ＣＦ２ＣＨＦ２）；３，３，４，４，４−ペンタフルオロ−２−（トリフルオロメチル）−１−ブテン（ＣＨ２＝Ｃ（ＣＦ３）ＣＦ２ＣＦ３）；１，１，４，４，４−ペンタフルオロ−３−（トリフルオロメチル）−１−ブテン（ＣＦ２＝ＣＨＣＨ（ＣＦ３）２）；１，３，４，４，４−ペンタフルオロ−３−（トリフルオロメチル）−１−ブテン（ＣＨＦ＝ＣＨＣＦ（ＣＦ３）２）；１，１，４，４，４−ペンタフルオロ−２−（トリフルオロメチル）−１−ブテン（ＣＦ２＝Ｃ（ＣＦ３）ＣＨ２ＣＦ３）；３，４，４，４−テトラフルオロ−３−（トリフルオロメチル）−１−ブテン（（ＣＦ３）２ＣＦＣＨ＝ＣＨ２）；３，３，４，４，５，５，５−ヘプタフルオロ−１−ペンテン（ＣＦ３ＣＦ２ＣＦ２ＣＨ＝ＣＨ２）；２，３，３，４，４，５，５−ヘプタフルオロ−１−ペンテン（ＣＨ２＝ＣＦＣＦ２ＣＦ２ＣＨＦ２）；１，１，３，３，５，５，５−ヘプタフルオロ−１−ブテン（ＣＦ２＝ＣＨＣＦ２ＣＨ２ＣＦ３）；
１，１，１，２，４，４，４−ヘプタフルオロ−３−メチル−２−ブテン（ＣＦ３ＣＦ＝Ｃ（ＣＦ３）（ＣＨ３））；２，４，４，４−テトラフルオロ−３−（トリフルオロメチル）−１−ブテン（ＣＨ２＝ＣＦＣＨ（ＣＦ３）２）；１，４，４，４−テトラフルオロ−３−（トリフルオロメチル）−１−ブテン（ＣＨＦ＝ＣＨＣＨ（ＣＦ３）２）；１，１，１，４−テトラフルオロ−２−（トリフルオロメチル）−２−ブテン（ＣＨ２ＦＣＨ＝Ｃ（ＣＦ３）２）；１，１，１，３−テトラフルオロ−２−（トリフルオロメチル）−２−ブテン（ＣＨ３ＣＦ＝Ｃ（ＣＦ３）２）；１，１，１−トリフルオロ−２−（トリフルオロメチル）−２−ブテン（（ＣＦ３）２Ｃ＝ＣＨＣＨ３）；３，４，４，５，５，５−ヘキサフルオロ−２−ペンテン（ＣＦ３ＣＦ２ＣＦ＝ＣＨＣＨ３）；１，１，１，４，４，４−ヘキサフルオロ−２−メチル−２−ブテン（ＣＦ３Ｃ（ＣＨ３）＝ＣＨＣＦ３）；３，３，４，５，５，５−ヘキサフルオロ−１−ペンテン（ＣＨ２＝ＣＨＣＦ２ＣＨＦＣＦ３）；４，４，４−トリフルオロ−２−（トリフルオロメチル）−１−ブテン（ＣＨ２＝Ｃ（ＣＦ３）ＣＨ２ＣＦ３）；１，１，２，３，３，４，４，５，５，６，６，６−ドデカフルオロ−１−ヘキセン（ＣＦ３（ＣＦ２）３ＣＦ＝ＣＦ２）；１，１，１，２，２，３，４，５，５，６，６，６−ドデカフルオロ−３−ヘキセン（ＣＦ３ＣＦ２ＣＦ＝ＣＦＣＦ２ＣＦ３）；１，１，１，４，４，４−ヘキサフルオロ−２，３−ビス（トリフルオロメチル）−２−ブテン（（ＣＦ３）２Ｃ＝Ｃ（ＣＦ３）２）；１，１，１，２，３，４，５，５，５−ノナフルオロ−４−（トリフルオロメチル）−２−ペンテン（（ＣＦ３）２ＣＦＣＦ＝ＣＦＣＦ３）；１，１，１，４，４，５，５，５−オクタフルオロ−２−（トリフルオロメチル）−２−ペンテン（（ＣＦ３）２Ｃ＝ＣＨＣ２Ｆ５）；１，１，１，３，４，５，５，５−オクタフルオロ−４−（トリフルオロメチル）−２−ペンテン（（ＣＦ３）２ＣＦＣＦ＝ＣＨＣＦ３）；３，３，４，４，５，５，６，６，６−ノナフルオロ−１−ヘキセン（ＣＦ３ＣＦ２ＣＦ２ＣＦ２ＣＨ＝ＣＨ２）；４，４，４−トリフルオロ−３，３−ビス（トリフルオロメチル）−１−ブテン（ＣＨ２＝ＣＨＣ（ＣＦ３）３）；１，１，１，４，４，４−ヘキサフルオロ−３−メチル−２−（トリフルオロメチル）−２−ブテン（（ＣＦ３）２Ｃ＝Ｃ（ＣＨ３）（ＣＦ３））；２，３，３，５，５，５−ヘキサフルオロ−４−（トリフルオロメチル）−１−ペンテン（ＣＨ２＝ＣＦＣＦ２ＣＨ（ＣＦ３）２）；１，１，１，２，４，４，５，５，５−ノナフルオロ−３−メチル−２−ペンテン（ＣＦ３ＣＦ＝Ｃ（ＣＨ３）ＣＦ２ＣＦ３）；１，１，１，５，５，５−ヘキサフルオロ−４−（トリフルオロメチル）−２−ペンテン（ＣＦ３ＣＨ＝ＣＨＣＨ（ＣＦ３）２）；３，４，４，５，５，６，６，６−オクタフルオロ−２−ヘキセン（ＣＦ３ＣＦ２ＣＦ２ＣＦ＝ＣＨＣＨ３）；３，３，４，４，５，５，６，６−オクタフルオロ−１−ヘキセン（ＣＨ２＝ＣＨＣＦ２ＣＦ２ＣＦ２ＣＨＦ２）；１，１，１，４，４−ペンタフルオロ−２−（トリフルオロメチル）−２−ペンテン（（ＣＦ３）２Ｃ＝ＣＨＣＦ２ＣＨ３）；４，４，５，５，５−ペンタフルオロ−２−（トリフルオロメチル）−１−ペンテン（ＣＨ２＝Ｃ（ＣＦ３）ＣＨ２Ｃ２Ｆ５）；
３，３，４，４，５，５，５−ヘプタフルオロ−２−メチル−１−ペンテン（ＣＦ３ＣＦ２ＣＦ２Ｃ（ＣＨ３）＝ＣＨ２）；４，４，５，５，６，６，６−ヘプタフルオロ−２−ヘキセン（ＣＦ３ＣＦ２ＣＦ２ＣＨ＝ＣＨＣＨ３）；４，４，５，５，６，６，６−ヘプタフルオロ−１−ヘキセン（ＣＨ２＝ＣＨＣＨ２ＣＦ２Ｃ２Ｆ５）；１，１，１，２，２，３，４−ヘプタフルオロ−３−ヘキセン（ＣＦ３ＣＦ２ＣＦ＝ＣＦＣ２Ｈ５）；４，５，５，５−テトラフルオロ−４−（トリフルオロメチル）−１−ペンテン（ＣＨ２＝ＣＨＣＨ２ＣＦ（ＣＦ３）２）；１，１，１，２，５，５，５−ヘプタフルオロ−４−メチル−２−ペンテン（ＣＦ３ＣＦ＝ＣＨＣＨ（ＣＦ３）（ＣＨ３））；１，１，１，３−テトラフルオロ−２−（トリフルオロメチル）−２−ペンテン（（ＣＦ３）２Ｃ＝ＣＦＣ２Ｈ５）；１，１，１，２，３，４，４，５，５，６，６，７，７，７−テトラデカフルオロ−２−ヘプテン（ＣＦ３ＣＦ＝ＣＦＣＦ２ＣＦ２Ｃ２Ｆ５）；１，１，１，２，２，３，４，５，５，６，６，７，７，７−テトラデカフルオロ−３−ヘプテン（ＣＦ３ＣＦ２ＣＦ＝ＣＦＣＦ２Ｃ２Ｆ５）；１，１，１，３，４，４，５，５，６，６，７，７，７−トリデカフルオロ−２−ヘプテン（ＣＦ３ＣＨ＝ＣＦＣＦ２ＣＦ２Ｃ２Ｆ５）；１，１，１，２，４，４，５，５，６，６，７，７，７−トリデカフルオロ−２−ヘプテン（ＣＦ３ＣＦ＝ＣＨＣＦ２ＣＦ２Ｃ２Ｆ５）；１，１，１，２，２，４，５，５，６，６，７，７，７−トリデカフルオロ−３−ヘプテン（ＣＦ３ＣＦ２ＣＨ＝ＣＦＣＦ２Ｃ２Ｆ５）；および１，１，１，２，２，３，５，５，６，６，７，７，７−トリデカフルオロ−３−ヘプテン（ＣＦ３ＣＦ２ＣＦ＝ＣＨＣＦ２Ｃ２Ｆ５）、または、この段落にリストされる前述のフルオロオレフィンのいずれかの混合物を意味する、それらの混合物からなる群から選択されるフルオロオレフィンの１つからであってもよい。本発明での使用に好適であるフルオロオレフィンを含む配合物は、２００６年３月２日出願の米国特許出願第１１／３６９，２２７号明細書、２００６年３月３０日出願の米国特許出願第１１／３９３，１０９号明細書、および２００６年７月１３日出願の米国特許出願第１１／４８６，７９１号明細書に開示されている。
【００４８】
あるいはまた、本発明のシステムまたは方法に使用される冷媒は、ハイドロフルオロカーボン、炭化水素、ジメチルエーテル、ＣＦ３Ｉ、アンモニア、二酸化炭素（ＣＯ２）および、この段落にリストされる追加の化合物のいずれかと、互いとの、または上記のようなフルオロオレフィンとの混合物を意味する、それらの混合物であってもよい。
【００４９】
一実施形態では、冷媒は、少なくとも１種のハイドロフルオロカーボン（ＨＦＣ）であってもよい。本発明のＨＦＣ化合物は、炭素、水素、およびフッ素を含有する飽和化合物を含む。１〜７個の炭素原子を有し、かつ、約−９０℃〜約８０℃の標準沸点を有するハイドロフルオロカーボンが特に実用的である。ハイドロフルオロカーボンは、Ｅ．Ｉ．ｄｕ  Ｐｏｎｔ  ｄｅ  Ｎｅｍｏｕｒｓ  ａｎｄ  Ｃｏｍｐａｎｙ，Ｆｌｕｏｒｏｐｒｏｄｕｃｔｓ（Ｗｉｌｍｉｎｇｔｏｎ、ＤＥ、１９８９８、ＵＳＡ）などの多数の製造業者から入手可能な市販製品であるか、または当該技術分野で公知の方法によって製造されてもよい。代表的なハイドロフルオロカーボン化合物には、フルオロメタン（ＣＨ３Ｆ、ＨＦＣ−４１）、ジフルオロメタン（ＣＨ２Ｆ２、ＨＦＣ−３２）、トリフルオロメタン（ＣＨＦ３、ＨＦＣ−２３）、ペンタフルオロエタン（ＣＦ３ＣＨＦ２、ＨＦＣ−１２５）、１，１，２，２−テトラフルオロエタン（ＣＨＦ２ＣＨＦ２、ＨＦＣ−１３４）、１，１，１，２−テトラフルオロエタン（ＣＦ３ＣＨ２Ｆ、ＨＦＣ−１３４ａ）、１，１，１−トリフルオロエタン（ＣＦ３ＣＨ３、ＨＦＣ−１４３ａ）、１，１−ジフルオロエタン（ＣＨＦ２ＣＨ３、ＨＦＣ−１５２ａ）、フルオロエタン（ＣＨ３ＣＨ２Ｆ、ＨＦＣ−１６１）、１，１，１，２，２，３，３−ヘプタフルオロプロパン（ＣＦ３ＣＦ２ＣＨＦ２、ＨＦＣ−２２７ｃａ）、１，１，１，２，３，３，３−ヘプタフルオロプロパン（ＣＦ３ＣＨＦＣＦ３、ＨＦＣ−２２７ｅａ）、１，１，２，２，３，３，−ヘキサフルオロプロパン（ＣＨＦ２ＣＦ２ＣＨＦ２、ＨＦＣ−２３６ｃａ）、１，１，１，２，２，３−ヘキサフルオロプロパン（ＣＦ３ＣＦ２ＣＨ２Ｆ、ＨＦＣ−２３６ｃｂ）、１，１，１，２，３，３−ヘキサフルオロプロパン（ＣＦ３ＣＨＦＣＨＦ２、ＨＦＣ−２３６ｅａ）、１，１，１，３，３，３−ヘキサフルオロプロパン（ＣＦ３ＣＨ２ＣＦ３、ＨＦＣ−２３６ｆａ）、１，１，２，２，３−ペンタフルオロプロパン（ＣＨＦ２ＣＦ２ＣＨ２Ｆ、ＨＦＣ−２４５ｃａ）、１，１，１，２，２−ペンタフルオロプロパン（ＣＦ３ＣＦ２ＣＨ３、ＨＦＣ−２４５ｃｂ）、１，１，２，３，３−ペンタフルオロプロパン（ＣＨＦ２ＣＨＦＣＨＦ２、ＨＦＣ−２４５ｅａ）、１，１，１，２，３−ペンタフルオロプロパン（ＣＦ３ＣＨＦＣＨ２Ｆ、ＨＦＣ−２４５ｅｂ）、１，１，１，３，３−ペンタフルオロプロパン（ＣＦ３ＣＨ２ＣＨＦ２、ＨＦＣ−２４５ｆａ）、１，２，２，３−テトラフルオロプロパン（ＣＨ２ＦＣＦ２ＣＨ２Ｆ、ＨＦＣ−２５４ｃａ）、１，１，２，２−テトラフルオロプロパン（ＣＨＦ２ＣＦ２ＣＨ３、ＨＦＣ−２５４ｃｂ）、１，１，２，３−テトラフルオロプロパン（ＣＨＦ２ＣＨＦＣＨ２Ｆ、ＨＦＣ−２５４ｅａ）、１，１，１，２−テトラフルオロプロパン（ＣＦ３ＣＨＦＣＨ３、ＨＦＣ−２５４ｅｂ）、１，１，３，３−テトラフルオロプロパン（ＣＨＦ２ＣＨ２ＣＨＦ２、ＨＦＣ−２５４ｆａ）、１，１，１，３−テトラフルオロプロパン（ＣＦ３ＣＨ２ＣＨ２Ｆ、ＨＦＣ−２５４ｆｂ）、１，１，１−トリフルオロプロパン（ＣＦ３ＣＨ２ＣＨ３、ＨＦＣ−２６３ｆｂ）、２，２−ジフルオロプロ��ン（ＣＨ３ＣＦ２ＣＨ３、ＨＦＣ−２７２ｃａ）、１，２−ジフルオロプロパン（ＣＨ２ＦＣＨＦＣＨ３、ＨＦＣ−２７２ｅａ）、１，３−ジフルオロプロパン（ＣＨ２ＦＣＨ２ＣＨ２Ｆ、ＨＦＣ−２７２ｆａ）、１，１−ジフルオロプロパン（ＣＨＦ２ＣＨ２ＣＨ３、ＨＦＣ−２７２ｆｂ）、２−フルオロプロパン（ＣＨ３ＣＨＦＣＨ３、ＨＦＣ−２８１ｅａ）、１−フルオロプロパン（ＣＨ２ＦＣＨ２ＣＨ３、ＨＦＣ−２８１ｆａ）、１，１，２，２，３，３，４，４−オクタフルオロブタン（ＣＨＦ２ＣＦ２ＣＦ２ＣＨＦ２、ＨＦＣ−３３８ｐｃｃ）、１，１，１，２，２，４，４，４−オクタフルオロブタン（ＣＦ３ＣＨ２ＣＦ２ＣＦ３、ＨＦＣ−３３８ｍｆ）、１，１，１，３，３−ペンタフルオロブタン（ＣＦ３ＣＨ２ＣＦ２ＣＨ３、ＨＦＣ−３６５ｍｆｃ）、１，１，１，２，３，４，４，５，５，５−デカフルオロペンタン（ＣＦ３ＣＨＦＣＨＦＣＦ２ＣＦ３、ＨＦＣ−４３−１０ｍｅｅ）、１，１，１，２，２，３，４，５，５，６，６，７，７，７−テトラデカフルオロヘプタン（ＣＦ３ＣＦ２ＣＨＦＣＨＦＣＦ２ＣＦ２ＣＦ３、ＨＦＣ−６３−１４ｍｅｅ）、および、この段落にリストされるハイドロフルオロカーボンのいずれかの混合物を意味する、それらの混合物が含まれるが、それらに限定されない。
【００５０】
別の実施形態では、冷媒は少なくとも１種の炭化水素を含んでもよい。本発明の炭化水素は、炭素および水素のみを有する化合物を含む。約３〜約７個の炭素原子を有する化合物が特に実用的である。炭化水素は多数の化学薬品供給業者を介して商業的に入手可能である。代表的な炭化水素には、プロパン、ｎ−ブタン、イソブタン、シクロブタン、ｎ−ペンタン、２−メチルブタン、２，２−ジメチルプロパン、シクロペンタン、ｎ−ヘキサン、２−メチルペンタン、２，２−ジメチルブタン、２，３−ジメチルブタン、３−メチルペンタン、シクロヘキサン、ｎ−ヘプタン、シクロヘプタン、および、この段落にリストされる炭化水素のいずれかの混合物を意味する、それらの混合物が含まれるが、それらに限定されない。
【００５１】
別の実施形態では、本発明のシステムおよび方法で使用される冷媒は、ジメチルエーテル（ＤＭＥ、ＣＨ３ＯＣＨ３）などの、ヘテロ原子を含有する炭化水素を含んでもよい。ＤＭＥは商業的に入手可能である。
【００５２】
別の実施形態では、本発明のシステムおよび方法で使用される冷媒は、様々な製造業者から商業的に入手可能であるか、または当該技術分野で公知の方法によって製造され得るアンモニア（ＮＨ３）を含んでもよい。
【００５３】
別の実施形態では、本発明のシステムおよび方法で使用される冷媒は、様々な製造業者から商業的に入手可能であるか、または当該技術分野で公知の方法によって製造され得る二酸化炭素（ＣＯ２）を含んでもよい。
【００５４】
本発明のシステムおよび方法で使用される冷媒は、鉱油、アルキルベンゼン、ポリ−アルファ−オレフィン、シリコーン油、ポリオキシアルキレングリコールエーテル、ポリオールエステル、ポリビニルエーテル、およびそれらの混合物からなる群から選択される少なくとも１種の潤滑油をさらに含んでもよい。本発明の潤滑油は、冷凍またはエアコン装置での使用に好適なものを含む。これらの潤滑油の中に、クロロフルオロカーボン冷媒を利用する圧縮冷凍装置に通常使用されるものがある。かかる潤滑油およびそれらの特性は、参照により本明細書に援用される、１９９０年ＡＳＨＲＡＥハンドブック、Ｒｅｆｒｉｇｅｒａｔｉｏｎ  Ｓｙｓｔｅｍｓ  ａｎｄ  Ａｐｐｌｉｃａｔｉｏｎｓ（冷凍システムおよび用途）、「Ｌｕｂｒｉｃａｎｔｓ  ｉｎ  Ｒｅｆｒｉｇｅｒａｔｉｏｎ  Ｓｙｓｔｅｍｓ（冷凍システムにおける潤滑油）」という表題の第８章、８．１から８．２１ページに議論されている。本発明の潤滑油は、圧縮冷凍潤滑の分野で「鉱油」として一般に知られるものを含んでもよい。鉱油は、パラフィン（すなわち、直鎖および分岐の炭素鎖の飽和炭化水素）、ナフテン（すなわち、パラフィンであってもよい、環状もしくは環構造の飽和炭化水素）および芳香族化合物（すなわち、交互二重結合で特徴づけられる１つ以上の環を含有する不飽和の環状炭化水素）を含む。本発明の潤滑油は、圧縮冷凍潤滑の分野で「合成油」として一般に知られるものをさらに含む。合成油は、アルキルアリール（すなわち、線状および分岐アルキルのアルキルベンゼン）、合成パラフィンおよびナフテン、シリコーン、ならびにポリ−アルファオレフィンを含む。本発明の代表的な通常の潤滑油は、商業的に入手可能なＢＶＭ  １００Ｎ（ＢＶＡ  Ｏｉｌｓによって販売されるパラフィン系鉱油）、Ｃｒｏｍｐｔｏｎ  Ｃｏ．によってＳｕｎｉｓｏ（登録商標）３ＧＳおよびＳｕｎｉｓｏ（登録商標）５ＧＳの商標で商業的に入手可能なナフテン系鉱油、商標Ｓｏｎｔｅｘ（登録商標）３７２ＬＴでＰｅｎｎｚｏｉｌから商業的に入手可能なナフテン系鉱油、商標Ｃａｌｕｍｅｎｔ（登録商標）ＲＯ−３０でＣａｌｕｍｅｔ  Ｌｕｂｒｉｃａｎｔｓから商業的に入手可能なナフテン系鉱油、商標Ｚｅｒｏｌ（登録商標）７５、Ｚｅｒｏｌ（登録商標）１５０およびＺｅｒｏｌ（登録商標）５００でＳｈｒｉｅｖｅ  Ｃｈｅｍｉｃａｌｓから商業的に入手可能な線状アルキルベンゼン、ならびにＨＡＢ  ２２として新日本石油株式会社によって販売される分岐アルキルベンゼンである。
【００５５】
別の実施形態では、本発明の潤滑油は、ハイドロフルオロカーボン冷媒との使用を設計されており、かつ、圧縮冷凍およびエアコン装置の運転条件下に本発明の冷媒と混和性であるものをさらに含む。かかる潤滑油およびそれらの特性は、「Ｓｙｎｔｈｅｔｉｃ  Ｌｕｂｒｉｃａｎｔｓ  ａｎｄ  Ｈｉｇｈ−Ｐｅｒｆｏｒｍａｎｃｅ  Ｆｌｕｉｄｓ（合成潤滑油および高性能流体）」、Ｒ．Ｌ．Ｓｈｕｂｋｉｎ編、Ｍａｒｃｅｌ  Ｄｅｋｋｅｒ、１９９３年に議論されている。かかる潤滑油には、Ｃａｓｔｒｏｌ（登録商標）１００（Ｃａｓｔｒｏｌ（Ｕｎｉｔｅｄ  Ｋｉｎｇｄｏｍ））などのポリオールエステル（ＰＯＥ）、Ｄｏｗ（Ｄｏｗ  Ｃｈｅｍｉｃａｌ（Ｍｉｄｌａｎｄ．Ｍｉｃｈｉｇａｎ））製のＲＬ−４８８Ａなどのポリアルキレングリコール（ＰＡＧ）、およびポリビニルエーテル（ＰＶＥ）が含まれるが、それらに限定されない。
【００５６】
本発明の潤滑油は、所与の圧縮機の要件と潤滑油が曝されるであろう環境とを考慮することによって選択される。
本発明のシステムまたは方法で使用される、単独でか潤滑油と一緒でかのどちらかでの、冷媒は、所望量の個々の成分を組み合わせるための任意の便利な方法によって調製されてもよい。好ましい方法は、所望の成分量を秤量し、その後成分を適切な容器で組み合わせることである。必要に応じて、攪拌が用いられてもよい。
【００５７】
以上、本発明を要約すると下記のとおりである。
１．（ａ）冷媒を通して循環させるための第１の膨張コイルと、冷媒を通して循環させるための、入口および出口を有する第２の膨張コイルとを有する熱交換器と；
（ｂ）溶液が通って循環するときに溶液を冷却するための、入口および出口を有する冷却ユニットであって、ここで入口が上記熱交換器の第１の膨張コイルと流体連通している冷却ユニットと；
（ｃ）溶液を貯蔵するための、入口および出口を有するリザーバであって、ここで入口が冷却ユニットの出口と流体連通して配置されるリザーバと；
（ｄ）リザーバから熱交換器の第２の膨張コイルの入口に貯蔵溶液を戻すためのリターンラインであって、リザーバの第１の出口と流体連通し、そして熱交換器の第２の膨張コイルの入口と流体連通して配置されるリターンラインと；
（ｅ）リザーバを迂回させ、冷却ユニットの出口から熱交換器の第２の膨張コイルの入口に直接溶液を配送するための、冷却ユニットの出口と熱交換器の第２の膨張コイルとの間に配置されたバイパスラインと；
（ｆ）冷却ユニットの出口と熱交換器の第２の膨張コイルの入口との間のバイパスラインに配置された第１のバルブであって、ここで、開いて冷却ユニットの出口から熱交換器の第２の膨張コイルの入口に直接溶液を配送し、それによってリザーバを迂回させる第１のバルブと
を含む、冷却すべき本体のエアコンシステムにおいて使用するための二次冷却ループシステム。
２．  冷却コイルの出口とリザーバの入口との間に配置された連結ラインと、連結ラインに配置された第２のバルブとをさらに含み、ここで第２のバルブは、第１のバルブが閉じたときに開いて溶液をリザーバの入口に流入させる、上記１に記載のシステム。
３．客室中の温度を感知し、冷却すべき本体中の温度を既定の温度と比較するための、冷却すべき本体に配置するのに適している温度センサーをさらに含み、ここで、冷却すべき本体中の温度が既定の温度より高いときに第１のバルブが開き、かつ第２のバルブが閉じる、上記２に記載のシステム。
４．冷却すべき本体中の温度を第１のバルブに伝えるための手段と、冷却すべき本体客室中の温度が既定の温度より高いときに第１のバルブを開けるための第１のバルブにおける手段とをさらに含む、上記３に記載のシステム。
５．冷却すべき本体中の温度を第２のバルブに伝えるための手段と、冷却すべき本体中の温度が既定の温度より高いときに第２のバルブを閉じるための第２のバルブにおける手段とをさらに含む、上記３に記載のシステム。
６．熱交換器が、冷媒が第１の膨張コイル中を一方向にそれを通って流れ、その溶液が反対方向に第２の膨張コイル中をそれを通って流れる向流熱交換器である、上記１に記載のシステム。
７．冷却ユニットがシングルエバポレーター冷却ユニットを含む、上記１に記載のシステム。
８．冷却ユニットが、
（ａ）入口および出口を有する前方ポンプであって、ここで入口が熱交換器と流体連通して配置される前方ポンプと、
（ｂ）前方ポンプの出口と流体連通して配置される前方冷却ユニットと、
（ｃ）入口および出口を有する後方冷却ユニットであって、ここで出口が前方ポンプの出口と流体連通して配置される後方冷却ユニットと、
（ｄ）入口および出口を有する後方ポンプであって、ここで後方冷却ユニットの出口が後方ポンプの入口と流体連通して配置され、かつ後方ポンプの出口がバイパスラインと流体連通して配置される後方ポンプと
を含むデュアルエバポレーター冷却ユニットを含む、上記１に記載のシステム。
９．（ａ）冷媒を通して循環させるための第１の膨張コイルと、冷却溶液を通して循環させるための第２の膨張コイルとを有する熱交換器手段と；
（ｂ）溶液が通って循環するときに溶液を冷却するための、入口および出口を有する冷却手段であって、ここで入口が熱交換器手段の第２の膨張コイルと流体連通している冷却手段と；
（ｃ）溶液を貯蔵するための、入口および出口を有するリザーバ手段であって、ここで入口が冷却手段の出口と流体連通して配置されるリザーバ手段と；
（ｄ）リザーバから熱交換器手段に戻って貯蔵溶液を循環させるための手段であって、リザーバ手段の出口と流体連通して配置された入口および熱交換器手段の第２の膨張コイルの入口と流体連通して配置された出口を有する循環手段と；
（ｅ）リザーバ手段を迂回させ、冷却手段の出口から熱交換器手段の第２の膨張コイルの入口に直接溶液を配送するための、冷却手段の出口とポンプ手段の入口との間に配置されたバイパス手段と；
（ｆ）冷却手段の出口と熱交換器手段の第２の膨張コイルの入口との間のバイパスラインに配置された第１のバルブ手段であって、ここで、開いて冷却手段の出口から熱交換器手段の第２の膨張コイルの入口に直接溶液を配送し、それによってリザーバ手段を迂回させる第１のバルブ手段と
を含む、自動車の蒸気圧縮エアコンシステムに使用するための二次冷却ループシステム。１０．（ａ）熱交換器の第１の膨張コイルを通して冷媒を循環させ、そして熱交換器の第２の膨張コイルを通して冷却溶液を循環させる工程と；
（ｂ）溶液が冷却ユニットを通って循環するときに溶液を冷却する工程であって、ここで冷却ユニットが熱交換器の第２の膨張コイルと流体連通して配置される工程と；
（ｃ）冷却ユニットの出口と熱交換器の第２の膨張コイルの入口との間に配置された連結ラインに配置された第１のバルブを開けて冷却ユニットの出口から熱交換器の第２の膨張コイルの入口に直接溶液を配送し、それによってリザーバを迂回させる工程と；
（ｄ）バイパスラインから熱交換器の第２の膨張コイルの入口に戻って溶液を循環させる工程と
を含む、自動車の蒸気圧縮エアコンシステムに使用するための二次冷却ループシステムにおけるリザーバの迂回方法。
１１．冷却ユニットの出口とリザーバの入口との間の連結ラインに配置された第２のバルブを閉める工程をさらに含む、上記１０に記載の方法。
１２．冷却すべき本体中の空気の温度を感知し、冷却すべき本体の温度を既定の温度と比較する工程と、冷却すべき本体中の温度が既定の温度より高いときに第１のバルブを開ける工程とをさらに含む、上記１０に記載の方法。
１３．冷却すべき本体中の温度が既定の温度より低いときに第１のバルブを閉め、かつ第２のバルブを開ける工程をさらに含む、上記１１に記載の方法。
１４．冷却溶液が、エチレングリコール、プロピレングリコール、プロパンジオール、またはそれらと水との混合物からなる群から選択されるグリコール溶液である、上記１０に記載の方法。
１５．冷媒が、第１の膨張コイル中を一方向に向流熱交換器を通して循環され、かつ冷却溶液が第２の膨張コイル中を反対方向に向流熱交換器をそこで流れる、上記１０に記載の方法。
１６．溶液の全てがシングルエバポレーター冷却ユニットを通して循環される、上記１０に記載の方法。
１７．溶液の一部が、熱交換器からデュアルエバポレーターユニットの前方ポンプおよび前方冷却ユニットを通して循環され、溶液の別の部分がデュアルエバポレーターユニットの後方冷却ユニットおよび後方ポンプを通して循環される、上記１０に記載の方法。
１８．冷媒が、フルオロオレフィン、ハイドロフルオロカーボン、炭化水素、ジメチルエーテル、ＣＦ３Ｉ、二酸化炭素、アンモニアおよびそれらの混合物からなる群から選択される上記１０に記載の方法。
１９．フルオロオレフィンが、
（ｉ）式Ｅ−またはＺ−Ｒ１ＣＨ＝ＣＨＲ２（式中、Ｒ１およびＲ２は、独立して、Ｃ１〜Ｃ６パーフルオロアルキル基である）のフルオロオレフィン；
（ｉｉ）式シクロ−［ＣＸ＝ＣＹ（ＣＺＷ）ｎ−］（式中、Ｘ、Ｙ、Ｚ、およびＷは、独立して、ＨまたはＦであり、ｎは２〜５の整数である）の環状フルオロオレフィン；および
（ｉｉｉ）テトラフルオロエチレン（ＣＦ２＝ＣＦ２）；ヘキサフルオロプロペン（ＣＦ３ＣＦ＝ＣＦ２）；１，２，３，３，３−ペンタフルオロ−１−プロペン（ＣＨＦ＝ＣＦＣＦ３）、１，１，３，３，３−ペンタフルオロ−１−プロペン（ＣＦ２＝ＣＨＣＦ３）、１，１，２，３，３−ペンタフルオロ−１−プロペン（ＣＦ２＝ＣＦＣＨＦ２）、１，２，３，３−テトラフルオロ−１−プロペン（ＣＨＦ＝ＣＦＣＨＦ２）、２，３，３，３−テトラフルオロ−１−プロペン（ＣＨ２＝ＣＦＣＦ３）、１，３，３，３−テトラフルオロ−１−プロペン（ＣＨＦ＝ＣＨＣＦ３）、１，１，２，３−テトラフルオロ−１−プロペン（ＣＦ２＝ＣＦＣＨ２Ｆ）、１，１，３，３−テトラフルオロ−１−プロペン（ＣＦ２＝ＣＨＣＨＦ２）、１，２，３，３−テトラフルオロ−１−プロペン（ＣＨＦ＝ＣＦＣＨＦ２）、３，３，３−トリフルオロ−１−プロペン（ＣＨ２＝ＣＨＣＦ３）、２，３，３−トリフルオロ−１−プロペン（ＣＨＦ２ＣＦ＝ＣＨ２）；１，１，２−トリフルオロ−１−プロペン（ＣＨ３ＣＦ＝ＣＦ２）；１，２，３−トリフルオロ−１−プロペン（ＣＨ２ＦＣＦ＝ＣＨＦ）；１，１，３−トリフルオロ−１−プロペン（ＣＨ２ＦＣＨ＝ＣＦ２）；１，３，３−トリフルオロ−１−プロペン（ＣＨＦ２ＣＨ＝ＣＨＦ）；
１，１，１，２，３，４，４，４−オクタフルオロ−２−ブテン（ＣＦ３ＣＦ＝ＣＦＣＦ３）；１，１，２，３，３，４，４，４−オクタフルオロ−１−ブテン（ＣＦ３ＣＦ２ＣＦ＝ＣＦ２）；１，１，１，２，４，４，４−ヘプタフルオロ−２−ブテン（ＣＦ３ＣＦ＝ＣＨＣＦ３）；１，２，３，３，４，４，４−ヘプタフルオロ−１−ブテン（ＣＨＦ＝ＣＦＣＦ２ＣＦ３）；１，１，１，２，３，４，４−ヘプタフルオロ−２−ブテン（ＣＨＦ２ＣＦ＝ＣＦＣＦ３）；１，３，３，３−テトラフルオロ−２−（トリフルオロメチル）−１−プロペン（（ＣＦ３）２Ｃ＝ＣＨＦ）；１，１，３，３，４，４，４−ヘプタフルオロ−１−ブテン（ＣＦ２＝ＣＨＣＦ２ＣＦ３）；１，１，２，３，４，４，４−ヘプタフルオロ−１−ブテン（ＣＦ２＝ＣＦＣＨＦＣＦ３）；１，１，２，３，３，４，４−ヘプタフルオロ−１−ブテン（ＣＦ２＝ＣＦＣＦ２ＣＨＦ２）；２，３，３，４，４，４−ヘキサフルオロ−１−ブテン（ＣＦ３ＣＦ２ＣＦ＝ＣＨ２）；１，３，３，４，４，４−ヘキサフルオロ−１−ブテン（ＣＨＦ＝ＣＨＣＦ２ＣＦ３）；１，２，３，４，４，４−ヘキサフルオロ−１−ブテン（ＣＨＦ＝ＣＦＣＨＦＣＦ３）；１，２，３，３，４，４−ヘキサフルオロ−１−ブテン（ＣＨＦ＝ＣＦＣＦ２ＣＨＦ２）；１，１，２，３，４，４−ヘキサフルオロ−２−ブテン（ＣＨＦ２ＣＦ＝ＣＦＣＨＦ２）；１，１，１，２，３，４−ヘキサフルオロ−２−ブテン（ＣＨ２ＦＣＦ＝ＣＦＣＦ３）；１，１，１，２，４，４−ヘキサフルオロ−２−ブテン（ＣＨＦ２ＣＨ＝ＣＦＣＦ３）；１，１，１，３，４，４−ヘキサフルオロ−２−ブテン（ＣＦ３ＣＨ＝ＣＦＣＨＦ２）；１，１，２，３，３，４−ヘキサフルオロ−１−ブテン（ＣＦ２＝ＣＦＣＦ２ＣＨ２Ｆ）；１，１，２，３，４，４−ヘキサフルオロ−１−ブテン（ＣＦ２＝ＣＦＣＨＦＣＨＦ２）；３，３，３−トリフルオロ−２−（トリフルオロメチル）−１−プロペン（ＣＨ２＝Ｃ（ＣＦ３）２）；１，１，１，２，４−ペンタフルオロ−２−ブテン（ＣＨ２ＦＣＨ＝ＣＦＣＦ３）；１，１，１，３，４−ペンタフルオロ−２−ブテン（ＣＦ３ＣＨ＝ＣＦＣＨ２Ｆ）；３，３，４，４，４−ペンタフルオロ−１−ブテン（ＣＦ３ＣＦ２ＣＨ＝ＣＨ２）；１，１，１，４，４−ペンタフルオロ−２−ブテン（ＣＨＦ２ＣＨ＝ＣＨＣＦ３）；１，１，１，２，３−ペンタフルオロ−２−ブテン（ＣＨ３ＣＦ＝ＣＦＣＦ３）；２，３，３，４，４−ペンタフルオロ−１−ブテン（ＣＨ２＝ＣＦＣＦ２ＣＨＦ２）；１，１，２，４，４−ペンタフルオロ−２−ブテン（ＣＨＦ２ＣＦ＝ＣＨＣＨＦ２）；１，１，２，３，３−ペンタフルオロ−１−ブテン（ＣＨ３ＣＦ２ＣＦ＝ＣＦ２）；１，１，２，３，４−ペンタフルオロ−２−ブテン（ＣＨ２ＦＣＦ＝ＣＦＣＨＦ２）；１，１，３，３，３−ペンタフルオロ−２−メチル−１−プロペン（ＣＦ２＝Ｃ（ＣＦ３）（ＣＨ３））；２−（ジフルオロメチル）−３，３，３−トリフルオロ−１−プロペン（ＣＨ２＝Ｃ（ＣＨＦ２）（ＣＦ３））；２，３，４，４，４−ペンタフルオロ−１−ブテン（ＣＨ２＝ＣＦＣＨＦＣＦ３）；１，２，４，４，４−ペンタフルオロ−１−ブテン（ＣＨＦ＝ＣＦＣＨ２ＣＦ３）；１，３，４，４，４−ペンタフルオロ−１−ブテン（ＣＨＦ＝ＣＨＣＨＦＣＦ３）；１，３，３，４，４−ペンタフルオロ−１−ブテン（ＣＨＦ＝ＣＨＣＦ２ＣＨＦ２）；１，２，３，４，４−ペンタフルオロ−１−ブテン（ＣＨＦ＝ＣＦＣＨＦＣＨＦ２）；３，３，４，４−テトラフルオロ−１−ブテン（ＣＨ２＝ＣＨＣＦ２ＣＨＦ２）；１，１−ジフルオロ−２−（ジフルオロメチル）−１−プロペン（ＣＦ２＝Ｃ（ＣＨＦ２）（ＣＨ３））；１，３，３，３−テトラフルオロ−２−メチル−１−プロペン（ＣＨＦ＝Ｃ（ＣＦ３）（ＣＨ３））；３，３−ジフルオロ−２−（ジフルオロメチル）−１−プロペン（ＣＨ２＝Ｃ（ＣＨＦ２）２）；１，１，１，２−テトラフルオロ−２−ブテン（ＣＦ３ＣＦ＝ＣＨＣＨ３）；１，１，１，３−テトラフルオロ−２−ブテン（ＣＨ３ＣＦ＝ＣＨＣＦ３）；１，１，１，２，３，４，４，５，５，５−デカフルオロ−２−ペンテン（ＣＦ３ＣＦ＝ＣＦＣＦ２ＣＦ３）；１，１，２，３，３，４，４，５，５，５−デカフルオロ−１−ペンテン（ＣＦ２＝ＣＦＣＦ２ＣＦ２ＣＦ３）；１，１，１，４，４，４−ヘキサフルオロ−２−（トリフルオロメチル）−２−ブテン（（ＣＦ３）２Ｃ＝ＣＨＣＦ３）；１，１，１，２，４，４，５，５，５−ノナフルオロ−２−ペンテン（ＣＦ３ＣＦ＝ＣＨＣＦ２ＣＦ３）；１，１，１，３，４，４，５，５，５−ノナフルオロ−２−ペンテン（ＣＦ３ＣＨ＝ＣＦＣＦ２ＣＦ３）；１，２，３，３，４，４，５，５，５−ノナフルオロ−１−ペ
ンテン（ＣＨＦ＝ＣＦＣＦ２ＣＦ２ＣＦ３）；１，１，３，３，４，４，５，５，５−ノナフルオロ−１−ペンテン（ＣＦ２＝ＣＨＣＦ２ＣＦ２ＣＦ３）；１，１，２，３，３，４，４，５，５−ノナフルオロ−１−ペンテン（ＣＦ２＝ＣＦＣＦ２ＣＦ２ＣＨＦ２）；１，１，２，３，４，４，５，５，５−ノナフルオロ−２−ペンテン（ＣＨＦ２ＣＦ＝ＣＦＣＦ２ＣＦ３）；１，１，１，２，３，４，４，５，５−ノナフルオロ−２−ペンテン（ＣＦ３ＣＦ＝ＣＦＣＦ２ＣＨＦ２）；１，１，１，２，３，４，５，５，５−ノナフルオロ−２−ペンテン（ＣＦ３ＣＦ＝ＣＦＣＨＦＣＦ３）；１，２，３，４，４，４−ヘキサフルオロ−３−（トリフルオロメチル）−１−ブテン（ＣＨＦ＝ＣＦＣＦ（ＣＦ３）２）；１，１，２，４，４，４−ヘキサフルオロ−３−（トリフルオロメチル）−１−ブテン（ＣＦ２＝ＣＦＣＨ（ＣＦ３）２）；
１，１，１，４，４，４−ヘキサフルオロ−２−（トリフルオロメチル）−２−ブテン（ＣＦ３ＣＨ＝Ｃ（ＣＦ３）２）；１，１，３，４，４，４−ヘキサフルオロ−３−（トリフルオロメチル）−１−ブテン（ＣＦ２＝ＣＨＣＦ（ＣＦ３）２）；２，３，３，４，４，５，５，５−オクタフルオロ−１−ペンテン（ＣＨ２＝ＣＦＣＦ２ＣＦ２ＣＦ３）；１，２，３，３，４，４，５，５−オクタフルオロ−１−ペンテン（ＣＨＦ＝ＣＦＣＦ２ＣＦ２ＣＨＦ２）；３，３，４，４，４−ペンタフルオロ−２−（トリフルオロメチル）−１−ブテン（ＣＨ２＝Ｃ（ＣＦ３）ＣＦ２ＣＦ３）；１，１，４，４，４−ペンタフルオロ−３−（トリフルオロメチル）−１−ブテン（ＣＦ２＝ＣＨＣＨ（ＣＦ３）２）；１，３，４，４，４−ペンタフルオロ−３−（トリフルオロメチル）−１−ブテン（ＣＨＦ＝ＣＨＣＦ（ＣＦ３）２）；１，１，４，４，４−ペンタフルオロ−２−（トリフルオロメチル）−１−ブテン（ＣＦ２＝Ｃ（ＣＦ３）ＣＨ２ＣＦ３）；３，４，４，４−テトラフルオロ−３−（トリフルオロメチル）−１−ブテン（（ＣＦ３）２ＣＦＣＨ＝ＣＨ２）；３，３，４，４，５，５，５−ヘプタフルオロ−１−ペンテン（ＣＦ３ＣＦ２ＣＦ２ＣＨ＝ＣＨ２）；２，３，３，４，４，５，５−ヘプタフルオロ−１−ペンテン（ＣＨ２＝ＣＦＣＦ２ＣＦ２ＣＨＦ２）；１，１，３，３，５，５，５−ヘプタフルオロ−１−ブテン（ＣＦ２＝ＣＨＣＦ２ＣＨ２ＣＦ３）；１，１，１，２，４，４，４−ヘプタフルオロ−３−メチル−２−ブテン（ＣＦ３ＣＦ＝Ｃ（ＣＦ３）（ＣＨ３））；２，４，４，４−テトラフルオロ−３−（トリフルオロメチル）−１−ブテン（ＣＨ２＝ＣＦＣＨ（ＣＦ３）２）；１，４，４，４−テトラフルオロ−３−（トリフルオロメチル）−１−ブテン（ＣＨＦ＝ＣＨＣＨ（ＣＦ３）２）；１，１，１，４−テトラフルオロ−２−（トリフルオロメチル）−２−ブテン（ＣＨ２ＦＣＨ＝Ｃ（ＣＦ３）２）；１，１，１，３−テトラフルオロ−２−（トリフルオロメチル）−２−ブテン（ＣＨ３ＣＦ＝Ｃ（ＣＦ３）２）；
１，１，１−トリフルオロ−２−（トリフルオロメチル）−２−ブテン（（ＣＦ３）２Ｃ＝ＣＨＣＨ３）；３，４，４，５，５，５−ヘキサフルオロ−２−ペンテン（ＣＦ３ＣＦ２ＣＦ＝ＣＨＣＨ３）；１，１，１，４，４，４−ヘキサフルオロ−２−メチル−２−ブテン（ＣＦ３Ｃ（ＣＨ３）＝ＣＨＣＦ３）；３，３，４，５，５，５−ヘキサフルオロ−１−ペンテン（ＣＨ２＝ＣＨＣＦ２ＣＨＦＣＦ３）；４，４，４−トリフルオロ−２−（トリフルオロメチル）−１−ブテン（ＣＨ２＝Ｃ（ＣＦ３）ＣＨ２ＣＦ３）；１，１，２，３，３，４，４，５，５，６，６，６−ドデカフルオロ−１−ヘキセン（ＣＦ３（ＣＦ２）３ＣＦ＝ＣＦ２）；１，１，１，２，２，３，４，５，５，６，６，６−ドデカフルオロ−３−ヘキセン（ＣＦ３ＣＦ２ＣＦ＝ＣＦＣＦ２ＣＦ３）；１，１，１，４，４，４−ヘキサフルオロ−２，３−ビス（トリフルオロメチル）−２−ブテン（（ＣＦ３）２Ｃ＝Ｃ（ＣＦ３）２）；１，１，１，２，３，４，５，５，５−ノナフルオロ−４−（トリフルオロメチル）−２−ペンテン（（ＣＦ３）２ＣＦＣＦ＝ＣＦＣＦ３）；１，１，１，４，４，５，５，５−オクタフルオロ−２−（トリフルオロメチル）−２−ペンテン（（ＣＦ３）２Ｃ＝ＣＨＣ２Ｆ５）；１，１，１，３，４，５，５，５−オクタフルオロ−４−（トリフルオロメチル）−２−ペンテン（（ＣＦ３）２ＣＦＣＦ＝ＣＨＣＦ３）；３，３，４，４，５，５，６，６，６−ノナフルオロ−１−ヘキセン（ＣＦ３ＣＦ２ＣＦ２ＣＦ２ＣＨ＝ＣＨ２）；４，４，４−トリフルオロ−３，３−ビス（トリフルオロメチル）−１−ブテン（ＣＨ２＝ＣＨＣ（ＣＦ３）３）；１，１，１，４，４，４−ヘキサフルオ
ロ−３−メチル−２−（トリフルオロメチル）−２−ブテン（（ＣＦ３）２Ｃ＝Ｃ（ＣＨ３）（ＣＦ３））；２，３，３，５，５，５−ヘキサフルオロ−４−（トリフルオロメチル）−１−ペンテン（ＣＨ２＝ＣＦＣＦ２ＣＨ（ＣＦ３）２）；１，１，１，２，４，４，５，５，５−ノナフルオロ−３−メチル−２−ペンテン（ＣＦ３ＣＦ＝Ｃ（ＣＨ３）ＣＦ２ＣＦ３）；１，１，１，５，５，５−ヘキサフルオロ−４−（トリフルオロメチル）−２−ペンテン（ＣＦ３ＣＨ＝ＣＨＣＨ（ＣＦ３）２）；３，４，４，５，５，６，６，６−オクタフルオロ−２−ヘキセン（ＣＦ３ＣＦ２ＣＦ２ＣＦ＝ＣＨＣＨ３）；
３，３，４，４，５，５，６，６−オクタフルオロ−１−ヘキセン（ＣＨ２＝ＣＨＣＦ２ＣＦ２ＣＦ２ＣＨＦ２）；１，１，１，４，４−ペンタフルオロ−２−（トリフルオロメチル）−２−ペンテン（（ＣＦ３）２Ｃ＝ＣＨＣＦ２ＣＨ３）；４，４，５，５，５−ペンタフルオロ−２−（トリフルオロメチル）−１−ペンテン（ＣＨ２＝Ｃ（ＣＦ３）ＣＨ２Ｃ２Ｆ５）；３，３，４，４，５，５，５−ヘプタフルオロ−２−メチル−１−ペンテン（ＣＦ３ＣＦ２ＣＦ２Ｃ（ＣＨ３）＝ＣＨ２）；４，４，５，５，６，６，６−ヘプタフルオロ−２−ヘキセン（ＣＦ３ＣＦ２ＣＦ２ＣＨ＝ＣＨＣＨ３）；４，４，５，５，６，６，６−ヘプタフルオロ−１−ヘキセン（ＣＨ２＝ＣＨＣＨ２ＣＦ２Ｃ２Ｆ５）；１，１，１，２，２，３，４−ヘプタフルオロ−３−ヘキセン（ＣＦ３ＣＦ２ＣＦ＝ＣＦＣ２Ｈ５）；４，５，５，５−テトラフルオロ−４−（トリフルオロメチル）−１−ペンテン（ＣＨ２＝ＣＨＣＨ２ＣＦ（ＣＦ３）２）；１，１，１，２，５，５，５−ヘプタフルオロ−４−メチル−２−ペンテン（ＣＦ３ＣＦ＝ＣＨＣＨ（ＣＦ３）（ＣＨ３））；１，１，１，３−テトラフルオロ−２−（トリフルオロメチル）−２−ペンテン（（ＣＦ３）２Ｃ＝ＣＦＣ２Ｈ５）；１，１，１，２，３，４，４，５，５，６，６，７，７，７−テトラデカフルオロ−２−ヘプテン（ＣＦ３ＣＦ＝ＣＦＣＦ２ＣＦ２Ｃ２Ｆ５）；１，１，１，２，２，３，４，５，５，６，６，７，７，７−テトラデカフルオロ−３−ヘプテン（ＣＦ３ＣＦ２ＣＦ＝ＣＦＣＦ２Ｃ２Ｆ５）；１，１，１，３，４，４，５，５，６，６，７，７，７−トリデカフルオロ−２−ヘプテン（ＣＦ３ＣＨ＝ＣＦＣＦ２ＣＦ２Ｃ２Ｆ５）；１，１，１，２，４，４，５，５，６，６，７，７，７−トリデカフルオロ−２−ヘプテン（ＣＦ３ＣＦ＝ＣＨＣＦ２ＣＦ２Ｃ２Ｆ５）；１，１，１，２，２，４，５，５，６，６，７，７，７−トリデカフルオロ−３−ヘプテン（ＣＦ３ＣＦ２ＣＨ＝ＣＦＣＦ２Ｃ２Ｆ５）；および１，１，１，２，２，３，５，５，６，６，７，７，７−トリデカフルオロ−３−ヘプテン（ＣＦ３ＣＦ２ＣＦ＝ＣＨＣＦ２Ｃ２Ｆ５）からなる群から選択されるフルオロオレフィン
からなる群から選択される少なくとも１つの化合物である上記１８に記載の方法。
２０．ハイドロフルオロカーボンが、フルオロメタン（ＣＨ３Ｆ、ＨＦＣ−４１）、ジフルオロメタン（ＣＨ２Ｆ２、ＨＦＣ−３２）、トリフルオロメタン（ＣＨＦ３、ＨＦＣ−２３）、ペンタフルオロエタン（ＣＦ３ＣＨＦ２、ＨＦＣ−１２５）、１，１，２，２−テトラフルオロエタン（ＣＨＦ２ＣＨＦ２、ＨＦＣ−１３４）、１，１，１，２−テトラフルオロエタン（ＣＦ３ＣＨ２Ｆ、ＨＦＣ−１３４ａ）、１，１，１−トリフルオロエタン（ＣＦ３ＣＨ３、ＨＦＣ−１４３ａ）、１，１−ジフルオロエタン（ＣＨＦ２ＣＨ３、ＨＦＣ−１５２ａ）、フルオロエタン（ＣＨ３ＣＨ２Ｆ、ＨＦＣ−１６１）、１，１，１，２，２，３，３−ヘプタフルオロプロパン（ＣＦ３ＣＦ２ＣＨＦ２、ＨＦＣ−２２７ｃａ）、１，１，１，２，３，３，３−ヘプタフルオロプロパン（ＣＦ３ＣＨＦＣＦ３、ＨＦＣ−２２７ｅａ）、１，１，２，２，３，３−ヘキサフルオロプロパン（ＣＨＦ２ＣＦ２ＣＨＦ２、ＨＦＣ−２３６ｃａ）、１，１，１，２，２，３−ヘキサフルオロプロパン（ＣＦ３ＣＦ２ＣＨ２Ｆ、ＨＦＣ−２３６ｃｂ）、１，１，１，２，３，３−ヘキサフルオロプロパン（ＣＦ３ＣＨＦＣＨＦ２、ＨＦＣ−２３６ｅａ）、１，１，１，３，３，３−ヘキサフルオロプロパン（ＣＦ３ＣＨ２ＣＦ３、ＨＦＣ−２３６ｆａ）、１，１，２，２，３−ペンタフルオロプロパン（ＣＨＦ２ＣＦ２ＣＨ２Ｆ、ＨＦＣ−２４５ｃａ）、１，１，１，２，２−ペンタフルオロプロパン（ＣＦ３ＣＦ２ＣＨ３、ＨＦＣ−２４５ｃｂ）、１，１，２，３，３−ペンタフルオロプロパン（ＣＨＦ２ＣＨＦＣＨＦ２、ＨＦＣ−２４５ｅａ）、１，１，１，２，３−ペンタフルオロプロパン（ＣＦ３ＣＨＦＣＨ２Ｆ、
ＨＦＣ−２４５ｅｂ）、１，１，１，３，３−ペンタフルオロプロパン（ＣＦ３ＣＨ２ＣＨＦ２、ＨＦＣ−２４５ｆａ）、１，２，２，３−テトラフルオロプロパン（ＣＨ２ＦＣＦ２ＣＨ２Ｆ、ＨＦＣ−２５４ｃａ）、１，１，２，２−テトラフルオロプロパン（ＣＨＦ２ＣＦ２ＣＨ３、ＨＦＣ−２５４ｃｂ）、１，１，２，３−テトラフルオロプロパン（ＣＨＦ２ＣＨＦＣＨ２Ｆ、ＨＦＣ−２５４ｅａ）、１，１，１，２−テトラフルオロプロパン（ＣＦ３ＣＨＦＣＨ３、ＨＦＣ−２５４ｅｂ）、１，１，３，３−テトラフルオロプロパン（ＣＨＦ２ＣＨ２ＣＨＦ２、ＨＦＣ−２５４ｆａ）、１，１，１，３−テトラフルオロプロパン（ＣＦ３ＣＨ２ＣＨ２Ｆ、ＨＦＣ−２５４ｆｂ）、１，１，１−トリフルオロプロパン（ＣＦ３ＣＨ２ＣＨ３、ＨＦＣ−２６３ｆｂ）、２，２−ジフルオロプロパン（ＣＨ３ＣＦ２ＣＨ３、ＨＦＣ−２７２ｃａ）、１，２−ジフルオロプロパン（ＣＨ２ＦＣＨＦＣＨ３、ＨＦＣ−２７２ｅａ）、１，３−ジフルオロプロパン（ＣＨ２ＦＣＨ２ＣＨ２Ｆ、ＨＦＣ−２７２ｆａ）、１，１−ジフルオロプロパン（ＣＨＦ２ＣＨ２ＣＨ３、ＨＦＣ−２７２ｆｂ）、２−フルオロプロパン（ＣＨ３ＣＨＦＣＨ３、ＨＦＣ−２８１ｅａ）、１−フルオロプロパン（ＣＨ２ＦＣＨ２ＣＨ３、ＨＦＣ−２８１ｆａ）、１，１，２，２，３，３，４，４−オクタフルオロブタン（ＣＨＦ２ＣＦ２ＣＦ２ＣＨＦ２、ＨＦＣ−３３８ｐｃｃ）、１，１，１，２，２，４，４，４−オクタフルオロブタン（ＣＦ３ＣＨ２ＣＦ２ＣＦ３、ＨＦＣ−３３８ｍｆ）、１，１，１，３，３−ペンタフルオロブタン（ＣＦ３ＣＨ２ＣＨＦ２、ＨＦＣ−３６５ｍｆｃ）、１，１，１，２，３，４，４，５，５，５−デカフルオロペンタン（ＣＦ３ＣＨＦＣＨＦＣＦ２ＣＦ３、ＨＦＣ−４３−１０ｍｅｅ）、１，１，１，２，２，３，４，５，５，６，６，７，７，７−テトラデカフルオロヘプタン（ＣＦ３ＣＦ２ＣＨＦＣＨＦＣＦ２ＣＦ２ＣＦ３、ＨＦＣ−６３−１４ｍｅｅ）、およびそれらの混合物からなる群から選択される上記１８に記載の方法。
２１．炭化水素が、プロパン、ｎ−ブタン、イソブタン、シクロブタン、ｎ−ペンタン、２−メチルブタン、２，２−ジメチルプロパン、シクロペンタン、ｎ−ヘキサン、２−メチルペンタン、２，２−ジメチルブタン、２，３−ジメチルブタン、３−メチルペンタン、シクロヘキサン、ｎ−ヘプタン、シクロヘプタン、およびそれらの混合物からなる群から選択される、上記１８に記載の方法。
【図１】
0005570432.tif 000002
【図２】
0005570432.tif 000003
【図３】
0005570432.tif 000004